(57)【要約】  第１の壁部を備えたハウジングを含むガス洗い流し通気部であって、前記壁部を貫通する１つ以上の通路は、治療圧力へ晒される前記患者インターフェースシステムの一部との流体連通が可能になるように構成される。前記通路は、前記第１の壁部の第１の表面上の各第１の開口部を含む。前記ハウジングは、雰囲気と連通する第２の開口部を少なくとも部分的にする。拡散材は、前記第１の表面に隣接するように、前記ハウジング内に少なくとも部分的に配置される。前記第１の表面に対向する前記拡散材の表面は、前記第１の開口部全ての間ならびに前記第１の開口部および前記第２の開口部全ての間に流体連通が可能になるように延びる隙間により、前記第１の表面から離隔して配置される。前記ハウジングは、前記第１の開口部それぞれに直接向かい合う全領域において前記ハウジングから空気が流出する事態を回避するように、構成される。
2019535387.tif 000002
【特許請求の範囲】
【請求項１】
患者の睡眠時における患者の呼吸サイクル全体において、使用時において周囲空気圧力を超える約４ｃｍＨ２Ｏ〜約３０ｃｍＨ２Ｏの範囲の治療圧力を維持して、呼吸器疾患または睡眠障害呼吸疾患が改善されるように構成された患者インターフェースシステム用のガス洗い流し通気部であって、前記ガス洗い流し通気部は：
内部を貫通する１つ以上の通路を含む第１の壁部を含むハウジングであって、前記１つ以上の通路は、前記治療圧力へ晒されるように構成された前記患者インターフェースシステムの一部との流体連通を提供するように構成され、前記通路は、前記第１の壁部の第１の表面上の各第１の開口部を含み、前記ハウジングは、雰囲気と連通する第２の開口部を少なくとも部分的に規定する、ハウジングと、
前記第１の表面に隣接して、前記ハウジング内に少なくとも部分的に配置された拡散材であって、前記第１の表面に対向する前記拡散材の表面は、前記第１の開口部の全ての間ならびに前記第１の開口部および前記第２の開口部の全ての間に流体連通を提供するように延びる隙間により前記第１の表面から離隔して配置される、拡散材と、を含み、
前記ハウジングは、前記第１の開口部それぞれに直接向かい合う全領域において前記ハウジングから空気が流出しないように構成される、ガス洗い流し通気部。
【請求項２】
前記ハウジングは、雰囲気と連通する第３の開口部をさらに含み、前記第３の開口部は、前記各通路の中心軸に沿って突出された前記通路のいずれかの出口の領域と重複せず、前記拡散材の少なくとも一部が各第１の開口部と前記第３の開口部との間に設けられるように配置される、請求項１に記載のガス洗い流し通気部。
【請求項３】
前記第３の開口部は、前記第３の開口部を貫通する中心軸が前記通路のいずれかの中心軸に対して角度を以て設けられるように方向付けられる、請求項２に記載のガス洗い流し通気部。
【請求項４】
前記第３の開口部は、前記患者インターフェースの一部が前記治療圧力に晒されたときに前記第３の開口部を完全に遮断しても前記ガス洗い流し通気部を通過する前記空気流れが実質的に低下しないようなサイズにされる、請求項２または３のいずれかに記載のガス洗い流し通気部。
【請求項５】
前記ガス洗い流し通気部を通過する前記空気流れは、３パーセントを超えて低下しない、請求項４に記載のガス洗い流し通気部。
【請求項６】
前記第３の開口部は、複数の第３の開口部のうち１つである、請求項２〜５のいずれか一項に記載のガス洗い流し通気部。
【請求項７】
前記第３の開口部は、除水のために構成される、請求項２〜６のいずれか一項に記載のガス洗い流し通気部。
【請求項８】
前記第２の開口部は、複数の第２の開口部を含む、請求項１〜６のいずれか一項に記載のガス洗い流し通気部。
【請求項９】
前記１つ以上の通路のうち少なくとも１つは、前記患者インターフェースの一部が前記治療圧力に晒されたときに前記各第１の開口部から退出する空気の少なくとも一部が前記拡散材に貫通するようなサイズにされる、請求項１〜８のうちいずれか１つに記載のガス洗い流し通気部。
【請求項１０】
前記ガス洗い流し通気部は、前記拡散材を貫通する前記空気の一部が前記拡散材を退出し、前記隙間に再度進入した後前記第２の開口部から流出するように構成される、請求項９に記載のガス洗い流し通気部。
【請求項１１】
前記ガス洗い流し通気部は、前記各第１の開口部から退出する前記空気の一部が前記表面を介して前記拡散材に貫通して前記拡散材から退出するように構成される、請求項９または１０のうち１つに記載のガス洗い流し通気部。
【請求項１２】
前記患者インターフェースの一部が前記治療圧力に晒された結果前記第２の開口部から空気が退出したときに、２８ｄＢ（Ａ）を超えないノイズが生成される、請求項１〜１１のうちいずれか１つに記載のガス洗い流し通気部。
【請求項１３】
前記拡散材は、未圧縮の繊維を含む、請求項１〜１２のうちいずれか１つに記載のガス洗い流し通気部。
【請求項１４】
前記拡散材は、吸湿材料を含む、請求項１〜１２のうちいずれか１つに記載のガス洗い流し通気部。
【請求項１５】
前記吸湿材料は焼結プラスチックである、請求項１４に記載のガス洗い流し通気部。
【請求項１６】
前記拡散材は疎水性材料を含む、請求項１〜１２のいずれか一項に記載のガス洗い流し通気部。
【請求項１７】
前記拡散材は、抗菌性を有する、請求項１〜１６のうちいずれか１つに記載のガス洗い流し通気部。
【請求項１８】
前記第１の壁部は、前記ハウジング内に解放不可能な様態で固定される、請求項１〜１７のうちいずれか１つに記載のガス洗い流し通気部。
【請求項１９】
前記隙間は、前記第１の壁部によって前記第１の開口部から前記第２の開口部へ少なくとも部分的に境界付けられる、請求項１〜１８のうちいずれか１つに記載のガス洗い流し通気部。
【請求項２０】
前記隙間は、前記表面によって前記第１の開口部に対向する場所から前記拡散材のうち前記第２の開口部に最も近い一部へ形成される、請求項１９に記載のガス洗い流し通気部。
【請求項２１】
前記隙間は、ラジアル方向にテーパー状にされる、請求項１〜２０のうちいずれか１つに記載のガス洗い流し通気部。
【請求項２２】
前記隙間は、ラジアル方向に外方にテーパーオフされる、請求項２１に記載のガス洗い流し通気部。
【請求項２３】
前記拡散材の表面および前記第１の表面は平行である、請求項１〜２２のうちいずれか１つに記載のガス洗い流し通気部。
【請求項２４】
前記拡散材の表面および前記第１の表面は、相互に傾斜される、請求項１〜２２のうちいずれか１つに記載のガス洗い流し通気部。
【請求項２５】
前記ハウジングの一部は、前記拡散材を交換できるように取り外し可能である、請求項１〜２２のうちいずれか１つに記載のガス洗い流し通気部。
【請求項２６】
前記第２の開口部および前記隙間は、前記通路、前記隙間および前記第２の開口部の前記空気流れ時の圧力降下の大部分が前記通路からの退出前に発生するようなサイズにされる、請求項１〜２５のうちいずれか１つに記載のガス洗い流し通気部。
【請求項２７】
前記ガス洗い流し通気部は、患者インターフェースまたは空気回路と係合するように配置された別個の装置を含む、請求項１〜２６のうちいずれか１つに記載のガス洗い流し通気部。
【請求項２８】
前記第２の開口部は、前記第１の表面に対して垂直な方向において前記第１の表面から離隔して設けられる、請求項１に記載のガス洗い流し通気部。
【請求項２９】
前記第２の開口部は、前記拡散材の側面に対向する、請求項１〜２８のいずれかに記載のガス洗い流し通気部。
【請求項３０】
前記拡散材の前記側面は、前記第１の表面に対向する前記拡散材の表面を横断する、請求項２９に記載のガス洗い流し通気部。
【請求項３１】
前記隙間は、相互に横断する前記拡散材の２つの表面に隣接する、請求項２８〜３０のうちいずれか１つに記載のガス洗い流し通気部。
【請求項３２】
前記拡散材内に偏向器をさらに含み、前記偏向器は、前記第１の表面に対向する前記拡散材の表面に進入する空気が前記拡散材を直接通じて流動して前記拡散材の反対側から流出する事態を回避するように、構成される、請求項１〜３１のうちいずれか１つに記載のガス洗い流し通気部。
【請求項３３】
患者の呼吸障害の治療のためのシステムであって：
呼吸圧治療装置と、
加湿器と、
空気回路と、
患者インターフェースと、を含み、
前記空気回路および前記患者インターフェースの少なくとも１つは、請求項１〜３２のいずれか一項に記載のガス洗い流し通気部を含む、システム。
【発明の詳細な説明】
【技術分野】
【０００１】
本出願は、２０１６年１１月１１日に出願された米国仮出願第６２／４２０，６７８号の恩恵を主張する。本明細書中、同文献全体を参考のため援用する。
【背景技術】
【０００２】
１    技術の背景
１．１    技術の分野
本技術は、呼吸関連疾患の検出、診断、治療、予防および改善のうち１つ以上に関する。本技術はまた、医療デバイスまたは装置と、その使用とに関する。
【０００３】
１．２    関連技術の説明
１．２．１    ヒトの呼吸器系およびその疾患
身体の呼吸器系は、ガス交換を促進させる。鼻および口腔は、患者の気道への入口を形成する。
【０００４】
これらの気道は、一連の分岐する管を含み、これらの管は、肺の奥深くに進むほど狭く、短くかつ多数になる。肺の主要な機能はガス交換であり、空気から酸素を静脈血中へ取り入れさせ、二酸化炭素を退出させる。気管は、右および左の主気管支に分かれ、これらの主気管支はさらに分かれて、最終的に終末細気管支となる。気管支は、伝導のための気道を構成するものであり、ガス交換には関与しない。気道がさらに分割されると呼吸細気管支となり、最終的には肺胞となる。肺の肺胞領域においてガス交換が行われ、この領域を呼吸ゾーンと呼ぶ。以下を参照されたい：「Ｒｅｓｐｉｒａｔｏｒｙ  Ｐｈｙｓｉｏｌｏｇｙ」，  ｂｙ  Ｊｏｈｎ  Ｂ．  Ｗｅｓｔ，  Ｌｉｐｐｉｎｃｏｔｔ  Ｗｉｌｌｉａｍｓ  ＆  Ｗｉｌｋｉｎｓ，  ９ｔｈ  ｅｄｉｔｉｏｎ  ｐｕｂｌｉｓｈｅｄ  ２０１２。
【０００５】
一定範囲の呼吸器疾患が存在している。特定の疾患は、特定の発症（例えば、無呼吸、呼吸低下および過呼吸）によって特徴付けられ得る。
【０００６】
呼吸器疾患の例には、閉塞性睡眠時無呼吸（ＯＳＡ）、チェーン・ストークス呼吸（ＣＳＲ）、呼吸不全、肥満過換気症候群（ＯＨＳ）、慢性閉塞性肺疾患（ＣＯＰＤ）、神経筋疾患（ＮＭＤ）および胸壁疾患が含まれる。
【０００７】
閉塞性睡眠時無呼吸（ＯＳＡ）は、睡眠呼吸障害（ＳＤＢ）の１つの形態であり、睡眠時の上通気道の閉鎖または閉塞などの発症によって特徴付けられる。睡眠時の異常に小さな上側気道および舌領域における筋緊張の正常欠損、軟口蓋および後中咽頭壁の組み合わせに起因する。このような状態に起因して、罹患患者の呼吸停止が典型的には３０〜１２０秒にわたり、ときには一晩に２００〜３００回も呼吸が停止する。その結果、日中の眠気が過度になり、心血管疾患および脳損傷の原因になり得る。この症候は一般的な疾患であり、特に中年の過体重の男性に多いが、患者に自覚症状は無い。米国特許第４，９４４，３１０号（Ｓｕｌｌｉｖａｎ）を参照されたい。
【０００８】
チェーン・ストークス呼吸（ＣＳＲ）は、別の形態の睡眠呼吸障害である。ＣＳＲは、患者の呼吸調節器の疾患であり、ＣＳＲサイクルとして知られる換気の漸増および漸減が交互に周期的に続く。ＣＳＲは、動脈血の脱酸素および再曝気の繰り返しによって特徴付けられる。反復低酸素症のため、ＣＳＲは有害であり得る。患者によっては、ＣＣＲは、重症不眠、交感神経活動の増加、および後負荷の増加の原因となる、反復性睡眠覚醒を随伴する。米国特許第６，５３２，９５９号（Ｂｅｒｔｈｏｎ−Ｊｏｎｅｓ）を参照されたい。
【０００９】
呼吸不全とは、呼吸器障害の総称であり、患者の需要を満たすための充分な酸素吸気または充分なＣＯ２呼気を肺が行うことができていないことを指す。呼吸不全は、以下の疾患のうちいくつかまたは全てを包含し得る。
【００１０】
呼吸不全（一種の呼吸不全）の患者は、運動時に異常な息切れを経験することがある。
【００１１】
肥満低呼吸症候群（ＯＨＳ）は、低換気の他の既知の原因がない場合、重症の肥満と覚醒時慢性高炭酸ガス血症の組み合わせとして定義される。症状には、呼吸困難、起床時の頭痛と過剰な日中の眠気が含まれる。
【００１２】
慢性閉塞性肺疾患（ＣＯＰＤ）は、特定の共通する特性を有する下気道疾患のグループのうちのいずれも包含する。これには空気の動きに対する抵抗の増加、呼吸の呼気相の延長および肺における正常な弾性の減少が含まれる。ＣＯＰＤの例として、気腫および慢性気管支炎がある。ＣＯＰＤの原因としては、慢性喫煙（第一危険因子）、職業被ばく、空気汚染および遺伝因子がある。症状を挙げると、労作時の呼吸困難、慢性咳および痰生成がある。
【００１３】
神経筋疾患（ＮＭＤ）は、内在筋病理を直接介してまたは神経病理を間接的に介して筋肉機能を損なう多数の疾病および病気を包含する広範な用語である。ＮＭＤ患者の中には、進行性の筋肉障害によって特徴付けられる者もあり、結果的に歩行不可能、車椅子への束縛、嚥下困難、呼吸筋力低下に繋がり、最終的には呼吸不全による死亡に繋がる。神経筋肉障害は、以下の急速進行性と緩徐進行性とに区分され得る：（ｉ）急速進行性障害：数ヶ月かけて悪化する筋肉障害によって特徴付けられ、数年内に死亡に繋がる（例えば、ティーンエージャーにおける筋萎縮性側索硬化症（ＡＬＳ）およびデュシェンヌ筋ジストロフィー（ＤＭＤ））；（ｉｉ）可変性または緩徐進行性障害：数年かけて悪化する筋肉障害によって特徴付けられ、平均余命が若干低減するだけである（例えば、肢帯、顔面肩甲上腕型および筋強直性筋ジストロフィー）。ＮＭＤにおける呼吸不全症状を以下に挙げる：全身衰弱の増加、嚥下障害、労作および安静時の呼吸困難、疲労、眠気、起床時の頭痛、および集中および気分の変化の困難。
【００１４】
胸壁障害は、胸郭変形の１つのグループであり、呼吸筋肉と胸郭との間の連結の無効性の原因となる。これらの障害は、拘束性障害によって主に特徴付けられ、長期の炭酸過剰性呼吸不全の可能性を共有する。脊柱側弯症および／または脊柱後側弯症は、重篤な呼吸不全を発症することがある。呼吸不全の症状を以下に挙げる：労作時の呼吸困難、末梢浮腫、起座呼吸、反復性胸部感染症、起床時の頭痛、疲労、睡眠の質の低下、および食欲不振。
【００１５】
このような状態を治療または改善するために、一定範囲の治療が用いられている。さらに、その他の点では健常人も、呼吸器疾患の予防治療を有利に利用することができる。しかし、これらにおいては、複数の欠陥がある。
【００１６】
１．２．２    治療法
多様な療法（例えば、持続的気道陽圧（ＣＰＡＰ）治療法、非侵襲的換気（ＮＩＶ）および侵襲的換気（ＩＶ））が上記の呼吸器疾患の１つ以上の治療のために用いられている。
【００１７】
持続的気道陽圧（ＣＰＡＰ）療法が、閉塞性睡眠時無呼吸（ＯＳＡ）の治療において用いられている。その作用メカニズムとしては、例えば軟口蓋および舌を押して後中咽頭壁へ前進または後退させることにより、経鼻的持続陽圧呼吸療法が空気スプリントとして機能し、これにより上側気道の閉鎖を回避する。ＣＰＡＰ治療によるＯＳＡの治療は自発的なものであり得るため、このような患者が治療の提供に用いられるデバイスについて以下のうち１つ以上に気づいた場合、患者が治療を遵守しないことを選択する可能性がある：不快、使用困難、高価、美観的な魅力の無さ。
【００１８】
非侵襲的換気（ＮＩＶ）は、換気補助を上気道を通じて患者へ提供して、呼吸機能の一部または全体を行うことにより患者の呼吸の補助および／または身体中の適切な酸素レベルの維持を提供する。換気補助が、非侵襲的患者インターフェースを介して提供される。ＮＩＶは、ＯＨＳ、ＣＯＰＤ、ＮＭＤ、および胸壁障害などの形態のＣＳＲおよび呼吸不全の治療に用いられている。いくつかの形態において、これらの治療の快適性および有効性が向上し得る。
【００１９】
侵襲的換気（ＩＶ）は、自身で有効に呼吸することができなくなった患者に対して換気補助を提供し、気管切開管を用いて提供され得る。いくつかの形態において、これらの治療の快適性および有効性が向上し得る。
【００２０】
１．２．３    治療システム
これらの治療は、治療システムまたはデバイスによって提供され得る。このようなシステムおよびデバイスは、疾患を治療することなく診断するためにも、用いられ得る。
【００２１】
治療システムは、呼吸圧力治療デバイス（ＲＰＴデバイス）、空気回路、加湿器、患者インターフェース、およびデータ管理を含み得る。
【００２２】
別の形態の治療システムとして、下顎再位置決めデバイスがある。
【００２３】
１．２．３．１    患者インターフェース
患者インターフェースは、例えば気道入口への空気流れを提供することにより呼吸装具へのインターフェースを装着者へ提供するために、用いられ得る。空気流れは、鼻および／または口腔へのマスク、口腔への管、または患者気管への気管切開管を介して提供され得る。適用される療法に応じて、患者インターフェースは、例えば患者の顔の領域との密閉部を形成し得、これにより、療法実行のための雰囲気圧力と共に充分な分散の圧力において（例えば、例えば雰囲気圧力に対して約１０ｃｍＨ２Ｏの陽圧において）ガス送達を促進する。酸素送達などの他の治療形態において、患者インターフェースは、約１０ｃｍＨ２Ｏの陽圧において気道へのガス供給の送達を促進するのに充分な密閉を含まない場合がある。
【００２４】
特定の他のマスクシステムは、本分野において機能的に不適切であり得る。例えば、純然たる装飾目的のマスクの場合、適切な圧力を維持することができない場合がある。水中水泳またはダイビングに用いられるマスクシステムは、外部からのより高い圧力からの水侵入から保護することと、周囲よりも高い圧力において内部の空気を維持しないこととを行うように、構成され得る。
【００２５】
特定のマスクは、本技術において臨床的に好ましく無い場合があり得る（例えば、マスクが鼻を介して気流を遮断し、口を介した気流のみを通過させる場合）。
【００２６】
特定のマスクにおいて、患者がマスク構造の一部を口に挿入し、唇を介して密閉状態を生成および維持しなければならない場合、本技術において不快であるかまたは非実際的である場合がある。
【００２７】
特定のマスクは、睡眠時（例えば、横向きにベッドに寝て枕の上に頭を置いた状態で睡眠する場合）における使用においては非実際的である場合がある。
【００２８】
患者インターフェースの設計においては、複数の課題がある。顔は、複雑な三次元形状を有する。鼻および頭のサイズおよび形状は、個人によって大きく異なる。頭部には骨、軟骨および軟組織が含まれるため、顔の異なる領域は、機械的力に対して異なる反応を示す。すなわち、顎部または下顎は、頭蓋骨の他の骨に相対して動き得る。頭部全体は、呼吸治療期間を通じて動き得る。
【００２９】
これらの課題に起因して、いくつかのマスクの場合、特に装着時間が長い場合または患者がシステムに不慣れである場合、押しつけがましい、美観的に望ましくない、コストが高い、フィット感が悪い、使用が困難、および不快感があるなどの理由のうち１つ以上がある。誤ったサイズのマスクが用いられた場合、コンプライアンスの低下、快適性の低下および患者予後の低下に繋がり得る。飛行士専用のマスク、個人用保護装具（例えば、フィルターマスク）、ＳＣＵＢＡマスクの一部として設計されたマスク、または麻酔投与用マスクは、その元々の用途には耐えられるものの、このようなマスクの場合、長時間（例えば、数時間）にわたって装着するには望ましくないほど不快な場合がある。このような不快感に起因して、治療に対する患者の承諾が低下する可能性がある。これは、マスクを睡眠時に装着する必要がある場合、特に当てはまる。
【００３０】
ＣＰＡＰ治療は、患者が治療を承諾している場合、特定の呼吸疾患の治療においては極めて効果的である。マスクが不快である場合または使用が難しい場合、患者は、治療を承諾しない場合がある。患者はマスクを定期的に洗浄するよう推奨されることが多いため、マスクの清浄が難しい（例えば、組立または分解が困難である場合）、患者は、マスクを清浄することができず、患者の承諾に影響が出る場合がある。
【００３１】
他の用途（例えば、飛行士）用のマスクの場合、睡眠呼吸障害の治療の使用には不適である場合があるため、睡眠呼吸障害の治療の使用のために設計されたマスクは、他の用途に適している場合がある。
【００３２】
これらの理由のめ、睡眠時のＣＰＡＰ送達のための患者インターフェースは、明瞭な分野を形成する。
【００３３】
１．２．３．１．１    シール形成構造
患者インターフェースはシール形成構造を含み得る。患者インターフェースは、患者の顔と直接接触するため、シール形成構造の形状および構成は、患者インターフェースの有効性および快適性に直接影響を持ち得る。
【００３４】
患者インターフェースは、使用時にシール形成構造を顔と係合させる場所の設計意図に従って、部分的に特徴付けられ得る。患者インターフェースの一形態において、シール形成構造は、左鼻孔の周囲にシールを形成するための第１のサブ部分と、右鼻孔の周囲にシールを形成するための第２のサブ部分とを含み得る。患者インターフェースの一形態において、シール形成構造は、使用時において双方の鼻孔を包囲する単一の要素を含み得る。このような単一の要素は、例えば顔の上唇領域および鼻ブリッジ領域上に載置されるように、設計され得る。患者インターフェースの一形態において、シール形成構造は、使用時に例えば顔の下唇領域上にシールを形成することにより口腔領域を包囲する要素を含み得る。患者インターフェースの一形態において、シール形成構造は、使用時に双方の鼻孔および口領域を包囲する単一の要素を含み得る。これらの異なる種類の患者インターフェースは、その製造業者によって鼻マスク、フルフェイスマスク、鼻枕、鼻パフおよび口鼻マスクなどの多様な名称によって公知であり得る。
【００３５】
患者の顔の一領域において有効であり得るシール形成構造は、例えば患者の顔の異なる形状、構造、変化性および感受性領域に起因して、別の領域において不適切であり得る。例えば、患者の前額上に載置される水泳用ゴーグルの密閉部は、患者の鼻上における使用には不適切である場合がある。
【００３６】
特定のシール形成構造は、広範囲の異なる顔形状およびサイズに対して１つの設計が適合し、快適でありかつ有効になるように、大量製造用に設計され得る。密閉部を形成するためには、患者の顔の形状と、大量製造された患者インターフェースのシール形成構造との間の不整合がある範囲まで、一方または双方を適合させる必要がある。
【００３７】
１つの種類のシール形成構造は、患者インターフェースの周囲を包囲して延び、シール形成構造が患者の顔に対向して係合している状態で力が患者インターフェースへ付加された際、患者の顔を密閉することを意図する。このシール形成構造は、空気または流体充填クッションを含み得るか、または、ゴムなどのエラストマーによって構成された弾力性のある密閉要素の成形されたかまたは形成された表面を含み得る。この種のシール形成構造により、フィット感が不適切である場合、シール形成構造と顔との間に隙間が発生し、密閉を達成するには、患者インターフェースを顔に押しつけるためにさらなる力が必要になる。
【００３８】
別の種類のシール形成構造は、陽圧がマスク内に付加された際に患者の顔に対して自己気密作用を提供するように、マスクの周囲の周辺に配置された薄材のフラップシールを使用する。先述の種類のシール形成部分と同様に、顔とマスクとの間の整合が良くない場合、密閉を達成するために必要なさらなる力が必要になり得るか、またはマスクから漏洩が発生し得る。さらに、シール形成構造の形状が患者の形状と整合しない場合、使用時においてシール形成部分に折り目または座屈が発生し、漏洩の原因になる。
【００３９】
別の種類のシール形成構造は、例えば鼻孔中へ挿入される摩擦嵌め要素を含み得るが、これらのシール形成部分を不快であると感じる患者も存在する。
【００４０】
別の形態のシール形成構造は、密閉を達成するために接着部を用い得る。患者の中には、常に接着部を自身の顔に貼り付けるかまたは取り外すことが不便であると感じる患者もいる。
【００４１】
一定範囲の患者インターフェースシール形成構造の技術について、（ＲｅｓＭｅｄ  Ｌｉｍｉｔｅｄへ譲渡された以下の特許出願：ＷＯ１９９８／００４，３１０；ＷＯ２００６／０７４，５１３；ＷＯ２０１０／１３５，７８５）に開示がある。
【００４２】
鼻枕の一形態が、Ｐｕｒｉｔａｎ  Ｂｅｎｎｅｔｔによって製造されたＡｄａｍ回路において見受けられる。別の鼻枕または鼻パフが、Ｐｕｒｉｔａｎ−Ｂｅｎｎｅｔｔ  Ｃｏｒｐｏｒａｔｉｏｎへ譲渡された米国特許第４、７８２、８３２号（Ｔｒｉｍｂｌｅら）の主題になっている。
【００４３】
ＲｅｓＭｅｄ  Ｌｉｍｉｔｅｄは、鼻枕を用いた以下の製品を製造している：ＳＷＩＦＴ（登録商標）鼻枕マスク、ＳＷＩＦＴ（登録商標）ＩＩ鼻枕マスク、ＳＷＩＦＴ（登録商標）ＬＴ鼻枕マスク、ＳＷＩＦＴ（登録商標）ＦＸ鼻枕マスクおよびＭＩＲＡＧＥＬＩＢＥＲＴＹ（登録商標）フルフェイスマスク。ＲｅｓＭｅｄ  Ｌｉｍｉｔｅｄへ譲渡された以下の特許出願において、鼻枕マスクの実施例についての記載がある：国際特許出願ＷＯ２００４／０７３、７７８号（特に、ＲｅｓＭｅｄ  ＬｉｍｉｔｅｄのＳＷＩＦＴ（登録商標）鼻枕の様相を記載）、米国特許出願第２００９／００４４８０８号（特に、ＲｅｓＭｅｄ  ＬｉｍｉｔｅｄのＳＷＩＦＴ（登録商標）ＬＴ鼻枕の様相を記載）；国際特許出願ＷＯ２００５／０６３，３２８号およびＷＯ２００６／１３０，９０３号（特に、ＲｅｓＭｅｄ  ＬｉｍｉｔｅｄのＭＩＲＡＧＥ  ＬＩＢＥＲＴＹ（登録商標）フルフェイスマスクの様相を記載）；国際特許出願ＷＯ２００９／０５２，５６０号（特に、ＲｅｓＭｅｄ  ＬｉｍｉｔｅｄのＳＷＩＦＴ（登録商標）ＦＸ鼻枕の様相を記載）。
【００４４】
１．２．３．１．２    位置決めおよび安定化
陽圧空気治療に用いられる患者インターフェースのシール形成構造は、密閉を妨害する空気圧力の対応する力を受ける。そのため、シール形成構造を位置決めすることと、顔の適切な部分に対して密閉を維持することとを行うために、多様な技術が用いられている。
【００４５】
１つの技術において、接着部が用いられる。例えば、米国特許出願公開ＵＳ２０１０／００００５３４号を参照されたい。しかし、接着部を用いた場合、不快感がある場合がある。
【００４６】
別の技術において、１つ以上のストラップおよび／または安定化ハーネスが用いられる。多数のこのようなハーネスの場合、フィット感が悪い、かさばる、不快および扱いにくいなどの点のうち１つ以上が当てはまる。
【００４７】
１．２．３．２    呼吸圧力治療（ＲＰＴ）デバイス
呼吸圧力治療（ＲＰＴ）デバイスは、例えば気道入口への空気送達流れを生成することにより、上記した複数の治療のうち１つ以上の送達に用いられ得る。この空気流れは、加圧され得る。ＲＰＴデバイスの例を挙げると、ＣＰＡＰデバイスおよび人工呼吸器がある。
【００４８】
空気圧生成器は、広範な用途（例えば、工業規模換気システム）において公知である。しかし、医療用途のための空気圧生成器は、より一般的な空気圧生成器（例えば、医療機器の信頼性要件、サイズ要件および重量要件）では満足できない特定の要件を有する。加えて、医療治療向けに設計されたデバイスであっても、以下のうち１つ以上に関連して欠陥を免れない場合がある：快適性、ノイズ、使いやすさ、有効性、サイズ、重量、製造可能性、コストおよび信頼性。
【００４９】
特定のＲＰＴデバイスの特殊な要件の一例として、音響ノイズがある。
【００５０】
【表１】
2019535387.tif 000003
【００５１】
睡眠呼吸障害の治療に用いられる１つの公知のＲＰＴデバイスとして、Ｓ９睡眠治療システム（製造元：ＲｅｓＭｅｄ  Ｌｉｍｉｔｅｄ）がある。ＲＰＴデバイスの別の実施例として、人工呼吸器がある。人工呼吸器（例えば、成人および小児用人工呼吸器のＲｅｓＭｅｄ  Ｓｔｅｌｌａｒ（登録商標）シリーズ）の場合、複数の状態（例を非限定的に挙げると、ＮＭＤ、ＯＨＳおよびＣＯＰＤ）の治療のための一定範囲のための患者のための侵襲的および非侵襲的な非依存的呼吸のための補助を提供し得る。
【００５２】
ＲｅｓＭｅｄ  Ｅｌｉｓ(ｅ´)ｅ（登録商標）１５０人工呼吸器およびＲｅｓＭｅｄＶＳＩＩＩ（登録商標）人工呼吸器は、複数の状態の治療のための成人患者または小児用患者に適した侵襲的および非侵襲的な依存的呼吸の補助を提供し得る。これらの人工呼吸器により、単一または二重の肢回路を用いた容積通気モードおよび気圧通気モードが得られる。ＲＰＴデバイスは典型的には、圧力生成器（例えば、電動送風機または圧縮ガスリザーバ）を含み、患者の気道へ空気流れを供給するように構成される。場合によっては、空気流れは、患者の気道へ陽圧で供給され得る。ＲＰＴデバイスの出口は、空気回路を介して上記したような患者インターフェースへ接続される。
【００５３】
デバイスの設計者には、無数の選択肢が提示され得る。設計基準同士が対立することが多くあるため、特定の設計選択肢が慣例からほど遠くなるかあるいは避けられないことがある。さらに、特定の態様の快適性および有効性は、１つ以上のパラメータの些細な変更から大きく影響を受ける可能性もある。
【００５４】
１．２．３．３      加湿器
空気流れの送達を加湿無しで行った場合、気道の乾燥に繋がり得る。加湿器をＲＰＴデバイスおよび患者インターフェースと共に用いた場合、加湿ガスが生成されるため、鼻粘膜の乾燥が最小化され、患者気道の快適性が増加する。加えて、より冷涼な気候においては、概して患者インターフェースの周囲の顔領域へ温風を付加すると、冷風の場合よりも快適性が高まる。
【００５５】
一定範囲の人工的加湿機器およびシステムが公知であるが、医療加湿器の特殊な要件を満たせていない。
【００５６】
医療加湿器は、典型的には患者が（例えば病院において）睡眠時または安静時にあるときに、必要な場合に周囲空気に相対して空気流れの湿度および／または温度を増加させるように、用いられる。枕元に置かれる医療加湿器は、小型である場合がある。医療加湿器は、患者へ送達される空気流れの加湿および／または加熱のみを行うように構成され得、患者の周囲の加湿および／または加熱は行わない。例えば、部屋ベースのシステム（例えば、サウナ、エアコン、または蒸発冷却器）は、呼吸により患者体内に取り込まれる空気も加湿し得るものの、これらのシステムの場合、部屋全体も加湿および／または加熱するため、占有者にとって不快感であり得る。さらに、医療加湿器の場合、工業用加湿器よりも安全面での制約がより厳しい場合もある。
【００５７】
多数の医療加湿器が公知であるものの、このような医療加湿器の場合、１つ以上の欠陥を被り得る。すなわち、このような医療加湿器の場合、加湿が不適切なものもあれば、患者にとって使用が困難または不便であるものもある。
【００５８】
１．２．３．４    通気技術
いくつかの形態の治療システムは、吐き出された二酸化炭素を押し出すための通気部を含み得る。この通気部により、患者インターフェースの内部空間（例えば、プレナムチャンバ）から患者インターフェースの外部（例えば、周囲）へのガス流れが可能になり得る。
【００５９】
この通気部は、オリフィスを含み得、マスク使用時において、ガスがオリフィスを通じて流れ得る。多数のこのような通気部の場合、音がうるさい。他の場合、使用時において閉塞し得るため、押し出しが不十分になる。いくつかの通気部の場合、例えば音または気流集中に起因して、患者１０００と同床者１１００の睡眠を妨げる場合がある。
【００６０】
ＲｅｓＭｅｄ  Ｌｉｍｉｔｅｄは、複数の向上したマスク通気技術を開発している。下記を参照されたい：国際特許出願公開第ＷＯ１９９８／０３４、６６５；国際特許出願公開第ＷＯ２０００／０７８、３８１；米国特許第６、５８１、５９４号；米国特許出願公開第ＵＳ２００９／００５０１５６；米国特許出願公開第２００９／００４４８０８。
【００６１】
【表２】
2019535387.tif 000004
【００６２】
多様な対象の音圧値を以下に羅列する
【００６３】
【表３】
2019535387.tif 000005
【発明の概要】
【課題を解決するための手段】
【００６４】
２    技術の簡単な説明
本技術は、呼吸器疾患の診断、改善、治療または予防において用いられる医療機器の提供に関連し、これらの医療機器は、向上した快適性、コスト、有効性、使い易さおよび製造可能性のうち１つ以上を有する。
【００６５】
本技術の第１の態様は、呼吸器疾患の診断、改善、治療または予防に用いられる装置に関連する。
【００６６】
本技術の別の態様は、呼吸障害の診断、改善、治療または予防において用いられる方法に関連する。
【００６７】
本技術の特定の形態の一態様は、呼吸治療についての患者のコンプライアンスを向上させる方法および／または装置を提供することである。
【００６８】
本技術の態様は、患者インターフェースシステムのためのガス洗い流し通気部を含む。ガス洗い流し通気部は、内部を貫通する１つ以上の通路を含む第１の壁部を含むハウジングであって、１つ以上の通路は、治療圧力へ晒されるように構成された患者インターフェースシステムの一部との流体連通を提供するように構成され、ハウジングは、雰囲気と連通する第２の開口部を少なくとも部分的に規定する、ハウジングと、ハウジング内に少なくとも部分的に配置された拡散材とを含む。
【００６９】
本技術の態様は、以下を含む：呼吸または睡眠障害の呼吸状態の向上のために、患者の睡眠時において患者の呼吸サイクル全体において約４ｃｍＨ２Ｏ〜約３０ｃｍＨ２Ｏの範囲内の治療圧力を使用時の周囲空気圧力よりも高く維持するように構成された患者インターフェースシステムのためのガス洗い流し通気部であって、ガス洗い流し通気部は、内部を貫通する１つ以上の通路を含む第１の壁部を含むハウジングであって、１つ以上の通路は、治療圧力へ晒されるように構成された患者インターフェースシステムの一部との流体連通を提供するように構成され、通路は、第１の壁部の第１の表面上の各第１の開口部を含み、ハウジングは、雰囲気と連通する第２の開口部を少なくとも部分的に規定する、ハウジングと、第１の表面に隣接するハウジング内に少なくとも部分的に配置された拡散材であって、第１の表面に対向する拡散材の表面は、第１の開口部全ての間および第１の開口部の全てと第２の開口部との間に流体連通を提供するように延びる隙間により、第１の表面から離隔して配置される、拡散材とを含む。ハウジングは、第１の開口部それぞれに直接向かい合う全領域においてハウジングから空気流出が無いように構成される。
【００７０】
例において、（ａ）ハウジングは、雰囲気と連通する第３の開口部をさらに含む。第３の開口部は、各通路の中心軸に沿って突出された通路のいずれかの出口の領域と重複せず、拡散材の少なくとも一部が各第１の開口部と第３の開口部との間に設けられるように配置され、（ｂ）第３の開口部は、第３の開口部を貫通する中心軸が通路のいずれかの中心軸に対して角度付けられるように方向付けられ、（ｃ）第３の開口部は、患者インターフェースの一部が治療圧力に晒されたときに第３の開口部を完全に遮断してもガス洗い流し通気部を通過する空気流れが実質的に低下しないようなサイズにされ、（ｄ）ガス洗い流し通気部を通過する空気流れは、３パーセントを超えて低下せず、（ｅ）第３の開口部は、複数の第３の開口部のうちの１つであり、（ｆ）第３の開口部は、水分除去のために構成され、（ｇ）第２の開口部は、複数の第２の開口部を含み、（ｈ）１つ以上の通路のうち少なくとも１つは、患者インターフェースの一部が治療圧力に晒されたときに各第１の開口部から退出する空気の少なくとも一部が拡散材中に貫通するようなサイズにされ、（ｉ）ガス洗い流し通気部は、拡散材を貫通する空気の一部が拡散材から退出して隙間に再度出射した後に第２の開口部から流出するような構成にされ、（ｊ）ガス洗い流し通気部は、各第１の開口部から退出する空気の一部が表面を介して拡散材に貫通および退出するように構成され、（ｋ）前患者インターフェースの一部が治療圧力に晒された結果第２の開口部から空気を退出したときに、２８ｄＢ（Ａ）を超えないノイズが生成され、（ｌ）拡散材は未圧縮の繊維を含み、（ｍ）拡散材は吸湿材料を含み、（ｎ）吸湿材料は焼結プラスチックであり、（ｏ）拡散材は疎水性材料を含み、（ｐ）拡散材は抗菌性を有し、（ｑ）第１の壁部は、ハウジング内に解放不可能な様態で固定され、（ｒ）隙間は、第１の壁部により第１の開口部から第２の開口部へ少なくとも部分的に境界付けられ、（ｓ）隙間は、表面により第１の開口部に対向する場所から拡散材のうち第２の開口部に最も近い一部へ形成され、（ｔ）隙間は、ラジアル方向においてテーパー状にされ、（ｕ）隙間は、ラジアル方向に外方にテーパーオフされ、（ｖ）拡散材の表面および第１の表面は平行であり、（ｘ）拡散材の表面および第１の表面は、相互に対して傾斜され、（ｚ）ハウジングの一部は、拡散材を交換できるように取り外し可能であり、（ａａ）第２の開口部および隙間は、通路、隙間および第２の開口部の空気流れ時の圧力降下の大部分が通路の退出前に発生するようなサイズにされ、および／または、（ｂｂ）ガス洗い流し通気部は、患者インターフェースまたは空気回路と係合するように配置された別個の装置を含む。
【００７１】
本技術の別の態様は、患者中の呼吸疾患の治療のためのシステムを含む。本システムは、呼吸圧力治療デバイスと、加湿器と、空気回路と、患者インターフェースとを含む。空気回路および患者インターフェースのうち少なくとも１つは、任意の上記の態様または例によるガス洗い流し通気部を含む。
【００７２】
もちろん、上記態様の一部は、本技術の下位態様を形成し得る。また、下位態様および／または態様のうち多様な１つを多様に組み合わせることができ、本技術のさらなる態様または下位態様も構成し得る。
【００７３】
本技術の他の特徴は、以下の詳細な説明、要約、図面および特許請求の範囲中に含まれる情報に鑑みれば明らかになる。
【００７４】
３    図面の簡単な説明
本技術を、添付図面中に非限定的に一実施例として例示する。図面中、類似の参照符号は、以下の類似の要素を含む：
【図面の簡単な説明】
【００７５】
３．１    治療システム
【図１Ａ】図１Ａは、患者インターフェース３０００を装着している患者１０００を含むシステムを示す。このシステムは、鼻枕の形態をとり、ＲＰＴデバイス４０００から供給される陽圧の空気を受容する。ＲＰＴデバイス４０００からの空気は、加湿器５０００によって加湿され、空気回路４１７０に沿って患者１０００へと移動する。同床者１１００も図示される。患者は、仰臥位睡眠位置において睡眠している。
【図１Ｂ】図１Ｂは、患者インターフェース３０００を装着している患者１０００を含むシステムを示す。このシステムは、鼻マスクの形態をとり、ＲＰＴデバイス４０００から供給される陽圧の空気を受容する。ＲＰＴデバイスからの空気は、加湿器５０００によって加湿され、空気回路４１７０に沿って患者１０００へと移動する。
【図１Ｃ】図１Ｃは、患者インターフェース３０００を装着している患者１０００を含むシステムを含む。患者インターフェース３０００は、フルフェイスマスクをとり、陽圧の空気供給をＲＰＴデバイス４０００から受容する。ＲＰＴデバイスからの空気は、加湿器５０００によって加湿され、空気回路４１７０に沿って患者１０００へと移動する。患者は、側臥位睡眠位置において睡眠している。  ３．２      呼吸システムおよび顔の解剖学的構造
【図２Ａ】図２Ａは、鼻腔および口腔、喉頭、声帯ひだ、食道、気管、気管支、肺、肺胞嚢、心臓および横隔膜を含むヒト呼吸器系の概要を示す。
【図２Ｂ】図２Ｂは、鼻腔、鼻骨、外側鼻軟骨、大鼻翼軟骨、鼻穴、上唇、下唇、喉頭、硬口蓋、軟口蓋、口咽頭、舌、喉頭蓋、声帯ひだ、食道および気管を含むヒトの上気道の図である。
【図２Ｃ】図２Ｃは、上唇、上唇紅、下唇紅、下唇、口の幅、内眼角、鼻翼、鼻唇溝および口角点を含む表面解剖学的構造のいくつかの特徴を含む顔の正面図である。上側、下側、ラジアル内方およびラジアル外方の方向も記載される。
【図２Ｄ】図２Ｄは、眉間、セリオン、鼻尖点、鼻下点、上唇、下唇、スプラメントン、鼻堤、鼻翼頂上点、耳基底上点および耳基底下点を含む表面解剖学的構造のいくつかの特徴を含む頭部の側面図である。上側および下側と、前方および後方との方向も記載される。
【図２Ｅ】図２Ｅは、頭部のさらなる側面図である。フランクフォート水平および鼻唇角の大まかな位置が記載されている。冠状面も記載される。
【図２Ｆ】図２Ｆは、鼻唇溝、下唇、上唇紅、鼻孔、鼻下点、鼻柱、鼻尖点、鼻孔の主軸および矢状面を含むいくつかの特徴を含む鼻の底面図である。
【図２Ｇ】図２Ｇは、鼻の表面的特徴の側面図である。
【図２Ｈ】図２Ｈは、外側鼻軟骨、鼻中隔軟骨、大鼻翼軟骨、小鼻翼軟骨、鼻種子軟骨、鼻骨、表皮、脂肪組織、上顎骨の前頭突起および線維性脂肪組織を含む鼻の皮下構造を示す。
【図２Ｉ】図２Ｉは、矢状面からおよそ数ミリメートルの位置における鼻の中間切開を示し、特に鼻中隔軟骨および大鼻翼軟骨の内側脚を示す。
【図２Ｊ】図２Ｊは、前頭骨、鼻骨および頬骨を含む頭蓋骨の骨正面図である。鼻甲介が上顎骨および下顎骨と共に図示されている。
【図２Ｋ】図２Ｋは、頭蓋骨を頭部表面の外形およびいくつかの筋肉と共に示す側面図である。以下の骨が図示されている：前頭骨、蝶形骨、鼻骨、頬骨、上顎骨、下顎骨、頭頂骨、側頭骨および後頭骨。オトガイ隆起が図示されている。以下の筋肉が図示されている：顎二腹筋、咬筋、胸鎖乳突筋および僧帽筋。
【図２Ｌ】図２Ｌは、鼻の前外側を示す。  ３．３    患者インターフェース
【図３Ａ】図３Ａは、本技術の一形態による鼻マスクの形態の患者インターフェースを示す。
【図３Ｂ】図３Ｂは、構造を１つの点において切断した模式的断面図である。この点における外向き法線が図示される。この点における曲率は、正の符号と、３Ｃに示す曲率の大きさと比較して比較的大きな大きさとを有する。
【図３Ｃ】図３Ｃは、構造を１つの点において切断した模式的断面図である。この点における外向き法線が図示される。この点における曲率は、正の符号と、図３Ｂに示す曲率の大きさと比較して比較的小さな大きさとを有する。
【図３Ｄ】図３Ｄは、構造を１つの点において切断した模式的断面図である。この点における外向き法線が図示される。この点における曲率の値はゼロである。
【図３Ｅ】図３Ｅは、構造を１つの点において切断した模式的断面図である。この点における外向き法線が図示される。この点における曲率は、負の符号と、図３Ｆに示す曲率の大きさと比較して比較的小さな大きさとを有する。
【図３Ｆ】図３Ｆは、構造を１つの点において切断した模式的断面図である。この点における外向き法線が図示される。この点における曲率は、負の符号と、図３Ｅに示す曲率の大きさと比較して比較的大きな大きさとを有する。
【図３Ｇ】図３Ｇは、２つの枕を含むマスク用クッションを示す。クッションの外面が図示される。表面の縁部が図示される。ドーム領域およびサドル領域が図示される。
【図３Ｈ】図３Ｈは、マスク用クッションを示す。クッションの外面が図示される。表面の縁部が図示される。点Ａと点Ｂとの間の表面上の経路が図示される。ＡとＢとの間の直線距離が図示される。２つのサドル領域およびドーム領域が図示される。
【図３Ｉ】図３Ｉは、構造の表面を示し、この表面中には一次元穴が開いている。図示の平面曲線は、一次元穴の境界を形成する。
【図３Ｊ】図３Ｊは、図３Ｉの構造を通じた断面図である。図示の表面は、図３Ｉの構造中の二次元穴を境界付ける。
【図３Ｋ】図３Ｋは、二次元穴および一次元穴を含む図３Ｉの構造の斜視図である。また、図３Ｉの構造中の二次元穴を境界付ける表面が図示される。
【図３Ｌ】図３Ｌは、クッションとしての可膨張性ブラダーを有するマスクを示す。
【図３Ｍ】図３Ｍは、図３Ｌのマスクの断面図であり、ブラダーの内面を示す。内面により、マスク中の二次元穴が境界付けられる。
【図３Ｎ】図３Ｎは、図３Ｌのマスクを通じたさらなる断面を示す。内面も図示される。
【図３Ｏ】図３Ｏは、左手の法則を示す。
【図３Ｐ】図３Ｐは、右手の法則を示す。
【図３Ｑ】図３Ｑは、左耳螺旋を含む左耳を示す。
【図３Ｒ】図３Ｒは、右耳螺旋を含む右耳を示す。
【図３Ｓ】図３Ｓは、右手螺旋を示す。
【図３Ｔ】図３Ｔは、マスクの異なる領域内の密閉膜の縁部によって規定された空間曲線のねじれのサインを含むマスクの図である。  ３．４    通気部
【図４Ａ】図４Ａは、本技術の一形態による通気部の図である。
【図４Ｂ】図４Ｂは、本技術の別の形態による通気部の図である。
【図４Ｃ】図４Ｃは、本技術の別の形態による通気部の図である。
【図４Ｄ】図４Ｄは、本技術の別の形態による通気部の図である。
【図４Ｅ】図４Ｅは、本技術の別の形態による通気部の図である。
【図４Ｆ】図４Ｆは、本技術の別の形態による通気部の図である。
【図４Ｇ】図４Ｇは、本技術の別の形態による通気部の図である。
【図４Ｈ】図４Ｈは、図４Ｇの通気部の上部を内部構造が見えるように取り外した図である。
【図４Ｉ】図４Ｉは、図４Ｈの断面図ではあるが上部が含まれたままの図である。
【図４Ｊ】図４Ｊは、付加的なコンポーネントが含まれた図４Ｈの第１の代替的断面図である。
【図４Ｋ】図４Ｋは、代替バージョンの付加的なコンポーネントが含まれた図４Ｈの第２の代替的断面図である。
【発明を実施するための形態】
【００７６】
４    本技術の実施例の詳細な説明
本技術についてさらに詳細に説明する前に、本技術は、本明細書中に記載される異なり得る特定の実施例に限定されるのではないことが理解されるべきである。本開示中に用いられる用語は、本明細書中に記載される特定の実施例を説明する目的のためのものであり、限定的なものではないことも理解されるべきである。
【００７７】
以下の記載は、１つ以上の共通の特性および／または特徴を共有し得る多様な実施例に関連して提供される。任意の１つの実施例の１つ以上の特徴は、別の実施例または他の実施例の１つ以上の特徴と組み合わせることが可能であることが理解されるべきである。加えて、これらの実施例のうちのいずれかにおける任意の単一の特徴または特徴の組み合わせは、さらなる実施例を構成し得る。
【００７８】
４．１    治療法
一形態において、本技術は、呼吸器疾患の治療方法を含む。本方法は、患者１０００の気道の入口へ陽圧を付加するステップを含む。
【００７９】
本技術の特定の実施例において、陽圧における空気供給が鼻孔の片方または双方を介して患者の鼻通路へ提供される。
【００８０】
本技術の特定の実施例において、口呼吸が制限されるか、限定されるかまたは妨げられる。
【００８１】
４．２    治療システム
１つの形態において、本技術は、呼吸障害の治療のための装置またはデバイスを含む。装置またはデバイスは、加圧空気を患者インターフェース３０００への空気回路４１７０を介して患者１０００へ供給するＲＰＴデバイス４０００を含み得る。
【００８２】
４．３    患者インターフェース
本技術の一態様による非侵襲的患者インターフェース３０００は、以下の機能様態を含む：シール形成構造３１００、プレナムチャンバ３２００、位置決めおよび安定化構造３３００、通気孔３４００、空気回路４１７０への接続のための一形態の接続ポート３６００、および前額支持部３７００。いくつかの形態において、機能様態が、１つ以上の物理的コンポーネントによって提供され得る。いくつかの形態において、１つの物理的コンポーネントは、１つ以上の機能様態を提供し得る。使用時において、シール形成構造３１００は、気道への陽圧での空気供給を促進するように、患者の気道の入口を包囲するように配置される。
【００８３】
患者インターフェースが最低レベルの陽圧を快適に気道へ送達できない場合、患者インターフェースは呼吸圧力治療に不適切であり得る。
【００８４】
本技術の一形態による患者インターフェース３０００は、周囲に対して少なくとも６ｃｍＨ２Ｏの陽圧で空気供給を提供できるように構築および配置される。
【００８５】
本技術の一形態による患者インターフェース３０００は、周囲に対して少なくとも１０ｃｍＨ２Ｏの陽圧で空気供給を提供できるように構築および配置される。
【００８６】
本技術の一形態による患者インターフェース３０００は、周囲に対して少なくとも２０ｃｍＨ２Ｏの陽圧で空気供給を提供できるように構築および配置される。
【００８７】
４．３．１    シール形成構造
本技術の一形態において、シール形成構造３１００は、目標シール形成領域を提供し、クッション機能をさらに提供し得る。目標シール形成領域は、シール形成構造３１００において密閉が発生し得る領域である。密閉が実際に発生する領域（すなわち、実際の密閉面）は、一定範囲の要素（例えば、顔面上の患者インターフェースの配置位置、位置決めおよび安定化構造における張力、および患者の顔の形状）に応じて、所与の治療セッションにおいて患者によって日々変化し得る。
【００８８】
一形態において、目標シール形成領域が、シール形成構造３１００の外面上に配置される。
【００８９】
本技術の特定の形態において、シール形成構造３１００は、生体適合性材料（例えば、シリコーンゴム）から構成される。
【００９０】
本技術によるシール形成構造３１００は、柔らかく、可撓性でありかつ弾力性のある材料（例えば、シリコーン）から構成され得る。
【００９１】
本技術の特定の形態において、１つよりも多くのシール形成構造３１００を含むシステムが提供される。各シール形成構造３１００は、異なるサイズおよび／または形状範囲に対応するように構成される。例えば、システムは、小さなサイズの頭ではなく大きなサイズの頭に適したシール形成構造３１００の一形態および大きなサイズの頭ではなく小さなサイズの頭に適した別のものを含み得る。
【００９２】
４．３．１．１    密閉機構
一形態において、シール形成構造は、圧力アシスト密閉機構を用いる密閉フランジを含む。使用時において、密閉フランジは、プレナムチャンバ３２００内のシステム陽圧に容易に応答してその下側上に作用して、面と緊密な密閉係合を形成させ得る。圧力アシスト機構は、位置決めおよび安定化構造における弾性張力と共に作用し得る。
【００９３】
一形態において、シール形成構造３１００は、密閉フランジおよび支持フランジを含む。密閉フランジは、厚さが約１ｍｍ未満（例えば、約０．２５ｍｍ〜約０．４５ｍｍ）の比較的肉薄の部材を含む。この部材は、プレナムチャンバ３２００の縁部長さの周囲に延びる。支持フランジは、密閉フランジよりも比較的肉厚であり得る。支持フランジは、密閉フランジと、プレナムチャンバ３２００の周縁部との間に配置され、周辺長さの周囲の少なくとも一部に延びる。支持フランジは、バネ様要素であるかまたはバネ様要素を含み、密閉フランジを使用時に座屈しないように支持するよう機能する。
【００９４】
一形態において、シール形成構造は、圧縮密閉部またはガスケット密閉部を含み得る。使用時において、圧縮密閉部またはガスケット密閉部は、例えば位置決めおよび安定化構造における弾性張力に起因して圧縮状態となるように、構築および配置される。
【００９５】
一形態において、シール形成構造は、張力部を含む。使用時において、張力部は、例えば密閉フランジの隣接領域により、ぴんと張られた状態で保持される。
【００９６】
一形態において、シール形成構造は、粘着面または接着面を有する領域を含む。
【００９７】
本技術の特定の形態において、シール形成構造は、圧力アシスト密閉フランジ、圧縮密閉部、ガスケット密閉部、張力部、および粘着面または接着面を有する部位のうち１つ以上を含み得る。
【００９８】
４．３．１．２    鼻梁または鼻堤領域
一形態において、非侵襲的患者インターフェース３０００は、使用時に患者の顔の鼻梁領域上にまたは鼻堤領域上に密閉を形成するシール形成構造を含む。
【００９９】
一形態において、シール形成構造は、使用時において患者の顔の鼻梁領域上または鼻堤領域上にシールを形成するように構築されたサドル状領域を含む。
【０１００】
４．３．１．３    上唇領域
一形態において、非侵襲的患者インターフェース３０００は、患者の顔の上唇領域（すなわち、上唇）上に使用時に密閉を形成するシール形成構造を含む。
【０１０１】
一形態において、シール形成構造は、使用時において患者の顔の上唇領域上にシールを形成するように構築されたサドル状領域を含む。
【０１０２】
４．３．１．４    顎領域
一形態において、非侵襲的患者インターフェース３０００は、使用時に患者の顔の顎領域上に密閉を形成するシール形成構造を含む。
【０１０３】
一形態において、シール形成構造は、使用時において患者の顔の顎領域上にシールを形成するように構築されたサドル状領域を含む。
【０１０４】
４．３．１．５    前額領域
一形態において、シール形成構造は、シール使用時において患者の顔の前額領域上にシールを形成する。このような形態において、プレナムチャンバは、使用時において眼を被覆し得る。
【０１０５】
４．３．１．６    鼻枕
一形態において、非侵襲的患者インターフェース３０００のシール形成構造は、一対の鼻パフまたは鼻枕を含む。各鼻パフまたは鼻枕は、患者の鼻の各鼻孔とのシールを形成するように構成および配置される。
【０１０６】
本技術の一態様による鼻枕は、円錐台を含む。円錐台のうち少なくとも一部は、患者の鼻の下側、柄部、円錐台の下側上の可撓性領域上に密閉を形成し、円錐台を柄部へ接続させる。加えて、本技術の鼻枕が接続される構造は、柄部のベースに隣接する可撓性領域を含む。可撓性領域は、自在接合構造を促進するように機能し得る。自在接合構造は、円錐台の変位および角度双方と、鼻枕が接続される構造との相互移動に対応する。例えば、円錐台は、柄部が接続された構造に向かって軸方向に変位し得る。
【０１０７】
４．３．２    プレナムチャンバ
プレナムチャンバ３２００は、使用時に密閉が形成される領域において平均的な人の顔の表面外形に対して相補的である形状の周囲を有する。使用時において、プレナムチャンバ３２００の周辺縁部は、顔の隣接する表面に近接して位置決めされる。顔との実際の接触は、シール形成構造３１００によって提供される。シール形成構造３１００は、使用時においてプレナムチャンバ３２００の縁部全体の周りに延び得る。いくつかの形態において、プレナムチャンバ３２００およびシール形成構造３１００は、単一の均質的材料ピースから形成される。
【０１０８】
本技術のいくつかの形態において、プレナムチャンバ３２００は、使用時において患者の眼を被覆しない。換言すると、眼は、プレナムチャンバによって規定される加圧空間外にある。このような形態の場合、押しつけがさが低減しかつ／またはより着用者の快適性が増すことが多いため、治療コンプライアンスが向上し得る。
【０１０９】
本技術の特定の形態において、プレナムチャンバ３２００は、透明材料（例えば、透明ポリカーボネート）から構築される。透明材料の利用により、患者インターフェースの押しつけがましさが低減され得、治療へのコンプライアンスの向上が補助され得る。透明材料の利用により、臨床医が患者インターフェースの配置様態および機能を確認することが補助され得る。
【０１１０】
本技術の特定の形態において、プレナムチャンバ３２００は、半透明材料から構成される。半透明材料を用いることにより、患者インターフェースの押しつけがましさを低減することができ、治療へのコンプライアンスの向上を補助することができる。
【０１１１】
４．３．３    位置決めおよび安定化構造
本技術の患者インターフェース３０００のシール形成構造３１００は、使用時において位置決めおよび安定化構造３３００によって密閉位置において保持され得る。
【０１１２】
一形態において、位置決めおよび安定化構造３３００により、顔から浮き上がるためのプレナムチャンバ３２００中の陽圧の効果に打ち勝つのに少なくとも充分な保持力が得られる。
【０１１３】
一形態において、位置決めおよび安定化構造３３００により、患者インターフェース３０００上への引力に打ち勝つだけの保持力が得られる。
【０１１４】
一形態において、位置決めおよび安定化構造３３００により、患者インターフェース３０００上への破壊的作用の可能性（例えば、管引き摺りまたは患者インターフェースとの不慮の干渉に起因するもの）を解消するための安全マージンとして保持力が得られる。
【０１１５】
本技術の一形態において、患者が睡眠時に装着されるように構成された位置決めおよび安定化構造３３００が提供される。一実施例において、位置決めおよび安定化構造３３００は、装置の感知される嵩または実際の嵩を低減するように、目立たない外形または断面厚さを有する。一実施例において、位置決めおよび安定化構造３３００は、矩形断面を有する少なくとも１つのストラップを含む。一実施例において、位置決めおよび安定化構造３３００は、少なくとも１つの平坦ストラップを含む。
【０１１６】
本技術の一形態において、患者が患者の頭部の後部領域を枕に載せた状態で仰臥位睡眠位置において寝る際の妨げとなるような過度に大きいまたは嵩張るサイズにならないように構成された位置決めおよび安定化構造３３００が提供される。
【０１１７】
本技術の一形態において、患者が患者の頭部の側部領域を枕に載せた状態で側臥位睡眠位置において寝る際の妨げとなるような過度に大きいまたは嵩張るサイズにならないように構成された位置決めおよび安定化構造３３００が提供される。
【０１１８】
本技術の一形態において、位置決めおよび安定化構造３３００は、位置決めおよび安定化構造３３００の前方部位と位置決めおよび安定化構造３３００の後方部位との間に配置された結合解除部を備える。この結合解除部は、圧縮に耐えず、例えば可撓性またはぺらぺらのストラップであり得る。結合解除部位は、患者が頭を枕に載せて横たわったときに結合解除部位の存在により後方部位への力が位置決めおよび安定化構造３３００に沿って伝達されてシールが妨害される事態を回避できるように、構築および配置される。
【０１１９】
本技術の一形態において、位置決めおよび安定化構造３３００は、布地患者接触層、発泡材料内側層および布地外側層の積層物から構成されたストラップを含む。一形態において、発泡材料は、湿気（例えば、汗）がストラップを通過できるような多孔性である。一形態において、織物外側層は、フック材料部分と係合するループ材料を含む。
【０１２０】
本技術の特定の形態において、位置決めおよび安定化構造３３００は、伸張可能である（例えば、弾力性と共に伸張可能である）ストラップを含む。例えば、ストラップは、使用時にはピンと張った状態にされて、シール形成構造を患者の顔の一部と密着させる力を方向付けるように、構成され得る。一実施例において、ストラップは、タイとして構成され得る。
【０１２１】
本技術の一形態において、位置決めおよび安定化構造は第１のタイを含み、第１のタイは、使用時においてその下縁部の少なくとも一部が上を通過して患者の頭の耳基底上点へ移動し、後頭骨を被覆することなく頭頂骨の一部を被覆するように、構築および配置される。
【０１２２】
鼻専用マスクまたはフルフェイスマスクに適した本技術の一形態において、位置決めおよび安定化構造は、第２のタイを含む。第２のタイは、使用時においてその上縁部の少なくとも一部が患者頭部の下側の耳基底下点の下側を通過し、患者頭部の後頭骨を被覆するかまたは患者頭部の後頭骨の下側に載置されるように、構築および配置される。
【０１２３】
鼻専用マスクまたはフルフェイスマスクに適した本技術の一形態において、位置決めおよび安定化構造は、第１のタイおよび第２のタイが相違に離隔方向に移動する傾向を低減させるように第１のタイおよび第２のタイを相互接続させるように構築および配置された第３のタイを含む。
【０１２４】
本技術の特定の形態において、位置決めおよび安定化構造３３００は、屈曲可能であり例えば非剛性であるストラップを含む。本態様の利点として、患者が睡眠時に体を横たえたときにストラップがより快適になっている点がある。
【０１２５】
本技術の特定の形態において、位置決めおよび安定化構造３３００は、内部を水蒸気が通過できるように呼吸可能なように構成されたストラップを含む。
【０１２６】
本技術の特定の形態において、１つよりも多くの位置決めおよび安定化構造３３００を含むシステムが提供される。各位置決めおよび安定化構造３３００は、異なるサイズおよび／または形状範囲に対応するための保持力を提供するように構成される。例えば、システムは、小さなサイズの頭ではなく大きなサイズの頭に適しかつ大きなサイズの頭ではなく小さなサイズの別の頭に適した位置決めおよび安定化構造３３００の一形態を含み得る。
【０１２７】
４．３．４    通気  
一形態において、患者インターフェース３０００は、吐き出されたガス（例えば、二酸化炭素）の押し出しを可能にするように構成および配置された通気部３４００を含む。
【０１２８】
特定の形態において、通気３４００は、プレナムチャンバ内の圧力が雰囲気に対して正であるときにプレナムチャンバ３２００の内部から雰囲気への連続的通気流れを可能にするように構成される。通気部３４００は、使用時においてプレナムチャンバ内の治療圧力を維持しつつ、通気流量の大きさが呼気されたＣＯ２の患者による再呼吸を低減できるだけの充分な大きさになるように、構成される。
【０１２９】
通気部３４００は様々な形をとることができる。一形態おいて、本技術による通気部３４００は、複数の穴（例えば、約２０個〜約８０個の穴、または約４０個〜約６０個の穴、または約４５個〜約５５個の穴）を含む。各穴部のサイズは０．５〜１ｍｍであり得、好適には０．６〜０．９ｍｍであり得、より好適には０．７〜０．８ｍｍであり得る。穴部は通常は円形の開口部と共に形成されるが、他の形状も可能である。複数のより小さな穴部を、１つ以上のより大きな穴部と交換してもよい。より大きな穴部のうちいくつかは、スリットの形態を有し得る。
【０１３０】
通気部３４００は、プレナムチャンバ３２００内に、あるいはエルボー３６００内に配置されかつ一体化され得る。あるいは、通気部３４００は、結合解除構造（例えば、スイベル）として別個に形成され得、空気回路４１７０の一部として配置してもよいし、あるいは、空気回路４１７０とプレナムチャンバ３２００との間に設けてもよい。
【０１３１】
図４Ａは、通気部３４００（例えば、ガス洗い流し通気部）の実装例を示す。図４Ａは、通路３４０２、壁部３４０４、拡散材３４０６およびハウジング３４０８を通じた断面図である。これらはそれぞれ、中央空気通路３４１０の周囲に設けられる。空気通路３４１０は、プレナムチャンバ３２００への入口（例えば、結合解除構造の一部）であってもよいし、あるいは空気回路４１７０の一部であってもよい。図示の断面は、中央空気通路３４１０の周囲において一定量の対称性を含むが、対称性は不要である。
【０１３２】
拡散材３４０６は、隙間３４１２によって壁部３４０４から離隔して配置されるため、通路３４０２と開口部３４１６との間に途切れない流体連通を提供する通路が得られる。これは、（拡散材３４０６の表面３４１４が開口部３４２０の表面に対向するように）ハウジング内に拡散材を少なくとも部分的に配置することにより、可能になる。拡散材の表面３４１４は、実質的に平面状の表面であり、隙間３４１２により開口部３４２０の表面から離隔して配置される。この構成は、開口部３４２０全ての間と、開口部３４２０および開口部３４１６全ての間とに流体連通が可能なように隙間が延びるような構成である。
【０１３３】
開口部３４１６により、雰囲気との連通が可能になる。隙間のサイズについては、隙間中に蓄積された粉塵全てを清浄にしかつ蓄積された水分全てを乾燥させることができるようなサイズにすべきである。よって、隙間３４１２の深さは１〜３ｍｍであり得、好適には１．５〜２．５ｍｍであり得、より好適には約２ｍｍであり得る。本記載中に後述するように、配置構成は、患者インターフェースの標準的動作時において、通路３４０２から退出する少なくとも一定の加圧空気（例えば、ジェットまたは圧力波）が隙間３４１２を埋めて拡散材３４０６に進入するような配置構成にされる。気流が拡散材に進入すると、材料の特性により、気流は蛇行経路上に強制移動する。隙間３４１２を介してより低い抵抗の経路が存在する場合も、拡散材３４０６内に空気は進入し得るが、音速または音速に近い速度であり得るジェット空気を付与すると、空気上に充分なモメンタムが付与されて、少なくとも一定の分子が拡散材に進入する。
【０１３４】
拡散材３４０６の特性（例えば、厚さまたは密度）および開口部３４２４のサイズは、気流全体に対する開口部３４２４の影響が無視できるくらいの大きさになるように、選択される。また、第２の壁部３４２８は、拡散材３４０６について通路３４０２に直接対向する。ハウジング３４０８は、この対向側上の気流に対して本質的に閉鎖される。そのため、拡散材３４０６に進入した気流は、最終的に隙間３４１２中へと強制的に返送され、開口部３４１６を介して周囲空気へ退出する。通気部の上記構成上により気流上に実質的に強制移動される蛇行路により、ジェット効果および／または通気部と関連付けられたジェット効果によって発生するノイズが低下する。代替的にまたは追加的に、拡散材３４０６により隙間３４１２の少なくとも片側が規定されるため、隙間を伝播する音波は全て、拡散材３４０６中に拡張することができ、拡散材３４０６そのものを通過する実質的気流がほとんど無い場合でも、音レベルが低下する。
【０１３５】
図示のように、隙間３４１２は全て、拡散材３４０６の表面３４１４に沿って開口部３４１６へ延びるが、隙間３４１２を長さ全体に沿って延ばす必要が無い。例えば、部位３４１８においては隙間は発生し得ない（例えば、空気通路３４１０に最も近い通路３４０２の内部は、図示の実装例においてラジアル方向に内方に設けられる）。通路３４０２から開口部３４１６への途切れない経路を提供する隙間３４１２の他の構成を設けてもよい。
【０１３６】
隙間３４１２の存在により、隙間の無い通気部を比較して、通気部３４００の性能特性を向上させることが可能になる。例えば、拡散材３４０６に適したいくつかの材料の場合、一貫した密度および通気性と共に製造することが困難なことがある。その結果、異なる患者インターフェースの通気部を通過する洗い流し気流の不要な変動に繋がり得る。隙間を設けることにより、恒久的な逃げ経路が得られ、その結果、洗い流し流れをより一貫させかつ／または予測可能にすることが可能になる。この隙間により、拡散材３４０６を通過する気流が任意の理由（例えば、材料３４０６が湿潤した場合）において低減または回避されるというさらなる利点が得られる。この場合、隙間３４１２により、空気を雰囲気へ移動させるための逃げ経路が得られる。
【０１３７】
壁部３４０４により、拡散材３４０６は、使用時に治療圧力に晒される患者インターフェース３０００の内部から分離される。通路３４０２は、壁部３４０４を貫通し、拡散材３４０６に隣接しかつ対向する各開口部３４２０を含むものとして図示される。通路３４０２は任意の数でよく、通気部３４００の所望の流れ特性を可能にする任意の幾何学的構成のいずれかでよい。例えば、通路は、通気部３４００の所望の性能特性を可能にする形状であれば、円筒型通路、円錐台状通路および／または他の任意の三次元形状（例えば、スロット）でよい。図４Ａにおいて、通路は、下方にテーパー状にされた開口部が拡散材へ方向付けられた円錐台形状であるが、必ずしもそうでなくてよく、円錐台形状の下方にテーパー状にされた開口部を反対方向に方向付けてもよい。これらの構成のうちいずれかまたは全てはにより、治療圧力へ晒されるように構成された患者インターフェース３０００の内部との流体連通が可能になり得る。単一の通路３４０２を設けてもよいし、あるいは、複数を設けてもよい。しかし、複数を設けた場合、任意の生成された可聴音が低減し得る。通路３４０２は、受動的なものであってもよいし、あるいは、弁システム（図示せず）の一部として、治療圧力などの条件に基づいて通路を通過する流れを調整してもよい。開口部３４２０および／または通路３４０２のサイズと、開口部３４２０および拡散材３４０６の方向付けとについては、（患者インターフェース３０００の内部が治療圧力に晒されたときに）開口部３４２０から退出する空気が表面３４１４において拡散材３４０６に衝突するようなサイズおよび方向付けにされる。開口部３４２０から退出した空気は、内部が治療圧力よりも低い圧力に晒されたときにも衝突し得る。この構成により、患者インターフェース３０００の内部が治療圧力に晒されたとき、開口部３４２０から退出する空気のうち少なくとも一部が拡散材３４０６を貫通し得、表面３４１４から退出した後、開口部３４１６を介して通気部から退出する。拡散材３４０６を貫通するが表面３４１４から退出しない空気の任意の部分は、ハウジング３４０８中の漏洩に起因して、拡散材３４０６から退出し得る。この流れ構成により、通気部３４００から退出するガスの流路全体がより断面図構成より蛇行状（ｔｏｒｔｉｏｕｓ）になり得るため、発生したノイズが減衰するかまたは排除される可能性が高まる。速度が充分に低くかつ表面３４１４の多孔性に起因して表面効果により空気の貫通が妨げられる場合、空気は衝突はするが貫通はし得ない。このシナリオにおいて、拡散材３４０６を用いると、音波を拡散材３４０６中に伝搬および拡散させることが可能になるため、ジェット効果の低減およびノイズ低減が可能になり得る。
【０１３８】
拡散材３４０６により、空気が材料を通過する際に空気が拡散するため、エネルギーの吸収および／または空気速度の低下が可能になり得る。流れ速度が低下すると、（乱流または空気ジェットが硬質の表面に衝突することに起因することが多い）関連ノイズも低減する。拡散材３４０６は、フィルタ媒体（例えば、未圧縮の繊維（例えば、ポリエステル繊維））または連続気泡フォームにおいて用いられるものと同様の繊維材料であり得る。空気流れの少なくとも部分的貫通と、材料内を流れる空気のための蛇行状経路とを可能にする任意の材料が、拡散材３４０６のために用いられ得る。拡散材は、焼結プラスチックなどの吸湿材料であり得る。拡散材は疎水性であってもよく、抗菌性を有するように処理され得る。これらの構成のうち１つ以上により、水分除去が支援され得、クリーニング時において有用であり得る。
【０１３９】
ハウジング３４０８は、（通気部３４００の所望の流れ特性も可能にしつつ）拡散材３４０６を所定位置に保持することを支援する任意の形状を有し得る。ハウジング３４０８は、開口部３４２０それぞれに直接対向する全領域においてハウジングから流出する流れを回避する壁部構成を含むものとして図示される。ハウジング３４０８は、拡散材３４０６を包囲する構造的コンポーネント（例えば、記壁部３４０４および壁部３４２８）全てを含み得る。中心線３４３０は、通路３４０２それぞれの中心軸に沿って図示され、第２の壁部３４２８へ延びる。これらの通路が入口流れ条件に相対して充分に長い場合、充分に発達した流れが発生し、矢印３４２２は、通路３４０２から退出する流れベクトルの近似である。流体流れの無秩序性に起因して、流れが通路３４０２から離隔方向に移動する際に実際の流れが分岐および放散し得る。しかし、所与のポイントにおける流れの特徴付けのために、ベクトル（例えば、大きさおよび方向）が用いられ得る。これらのベクトルが伸長すると、最終的には、開口部を含まないハウジングの一部３４０８と交差する。しかし、流れ方向に延びた場合に固形壁部に遭遇するのは、各開口部の中心軸に沿って概して延びる流れベクトルだけではない。開口部３４２０それぞれの断面領域は、各中心線３４３０に沿って突出され、領域の画像が、壁部３４２８中の開口部の代わりに壁部３４２８の固形部位上に突出される。そのため、ハウジング３４０８または通気部３４００内の開口部（例えば、第２の開口部３４２４）が出口ベクトルと一列になるかまたは通路３４０２のいずれかからの突出領域と重複することは無いため、通路３４０２から退出する空気は、通路３４０２に直接対向する第２の壁部３４２８の一部から通気部３４００を退出することはできない。その代わりに、出口開口部３４１６は、通路３４０２の流れベクトルに対して角度を以て設けられた方向に延びる。この角度は鋭角であり得るが、いくつかの例において、直線状（例えば、出口ベクトルに対して直角である）かまたはさらには鈍角である。このような構成により、通路３４０２から退出する空気が拡散材３４０６を通じて蛇行状経路に追随して、開口部３４１６を通じて通気部３４００から退出する可能性が高くなる。上記したように、出口開口部３４１６は、以下のうち１つ以上によって規定され得る：ハウジング３４０８の壁部、拡散材の表面または別のコンポーネントの表面。出口開口部３４１６は、空気が拡散材３４０６を通過しない経路に沿って周囲環境中に解放される限り、任意の方向に方向付けられ得る。１つの別の例において、出口開口部３４１６からの流れは、矢印３４２２に対して平行であってもよいし、あるいは矢印３４２２からオフセットしてもよい。
【０１４０】
図示のように、ハウジング３４０８は開口部３４１６を部分的に境界付け、壁部３４０４も開口部３４１６を部分的に境界付けるが、開口部３４１６は、ハウジング３４０８によって完全に境界付けてもよいし、あるいはハウジング３４０８によって全く境界付けられていなくてもよい。後者の場合、開口部３４１６は、例えばハウジング３４０８ではなくコンポーネントによって規定され得る。適切な流路（例えば、隙間３４１２）を提供する開口部３４１６の任意の構成および場所が用いられ得る。図示のように、開口部３４１６は、通気部３４００の周囲全体を包囲する環状の隙間であるが、開口部３４１６は、任意の数の開口部であってもよい。例えば、その結果得られる開口部の安定性を増加させるために、開口部３４１６を複数の開口部に分割することが望ましい場合がある。図示のように、開口部３４１６は、周囲への直接的出口として記載され得るが、開口部３４１６は、より間接的なまたはより蛇行状経路として周囲へ延び得る。例えば、さらなる構造的要素を設けることにより、周囲への退出前に１つ以上の旋回部を含む流路が設けられ得る。また、開口部３４１６は、隙間３４１２または壁部３４０４に対して図示以外の方向に設けられ得る。図示のように、開口部３４１６を貫通する流路は、通路３４０２および／または矢印３４２２に対して実質的に直角であるが、開口部は、別の角度または方向付けをとり得る。例えば、開口部を貫通する流路は、通路３４０２に対して鈍角または鋭角をとってもよいし、あるいは、通路３４０２に対して平行であるかまたは通路３４０２からオフセットしてもよい。
【０１４１】
ハウジング３４０８は、通路３４０２と一列になっていない開口部３４２４も含み得る。開口部３４２４の方向付けを視覚的に明確にするために、開口部３４２４は、開口部３４２４の中心軸上の中心線３４３２と共に図示される。通路３４０２の中心線３４３０は、開口部３４２４の中心線３４３２と整合されない。通気部３４００のクリーニング後に水分除去が可能になるように、開口部３４２４が任意選択的に設けられ得る（ゼロ、１つ以上が設けられ得る）。開口部３４２４により、水が通気部３４００から振り落とされることおよび／または水が蒸発して通気部３４００から退出する可能性が高まることが可能になり得、振り落としおよび蒸発はどちらとも、通気部３４００の乾燥に貢献する。開口部３４２４が設けられる場合、開口部３４２４は好適には、拡散材３４０６、開口部３４１６および隙間３４１２と関連して、（患者インターフェース３０００へ治療圧力が付加されたときに）開口部３４２４から退出する空気が実質的に無くなるような配置およびサイズにされる。開口部３４２４からの流れを決定するために、圧力が患者インターフェース３０００へ付加され得、通気部３４００を含む通じて流量が測定される。次に、開口部３４２４は完全に遮断され得、流量が再度測定され得る。流量低下量が所定のパーセンテージ未満である場合、通気部３４００を通過する空気流れに実質的低下は無い。好適には、流量低下量は５％を超えず、より好適には流量低下量は３％を超えない。実際、開口部３４２４を遮断しても、通気部３４００を通過する流量に変化は無い。開口部３４２４を完全に遮断すると通気部３４００を通過する流れが実質的に無くなるように通気部３４００を設計することにより、拡散材３４０６が完全に詰まった場合（これは、水または粘液の蓄積に起因して発生し得る）でも、通気部３４００により充分なガス洗い流しが得られるはずである。
【０１４２】
開口部３４２４は、（開口部３４２０に対向する側と反対側の）拡散材３４０６に隣接する領域内に形成され得る。しかし、開口部３４２４のサイズおよび場所は変化し得る。開口部３４２４は、少なくとも２つの目的（すなわち、通気部の洗浄および乾燥）を有し得る。第１に、開口部３４２４により、ユーザが通気部３４００全体を水栓からの水の下に配置することにより、拡散材３４０６を洗い流すことが可能になり得る。洗い流しを有効にするために、開口部３４２４は好適には、液体の水（例えば、液滴）がハウジングに進入できるような充分な大きさであるとよい。第２の、開口部３４２４により、洗浄後または通気部の使用時に液体（例えば、粘液、水）が意図せず蓄積した後に、蓄積した液体を除去することが可能になり得る。各単一の開口部３４２４のサイズは、液体（例えば、水）のイベントにおける流入および流出を可能にする能力に関連する。開口部全てのサイズの組み合わせにより、通気部の洗浄および乾燥の効率が決定され得る。２０ｍｍ２〜８０ｍｍ２の組み合わされた領域を用いると、適切な洗浄および乾燥が可能になると考えられる。いくつかの例において、開口部領域全体は好適には３０〜６０ｍｍ２であり、さらに好適には約５０ｍｍ２である。開口部の場所も重要であり得る。開口部３４２４は、拡散材３４０６について（少なくとも一定範囲において）開口部３４１６と反対側に間隔を空けて配置されると好適である。その結果、開口部３４１６および３４２４間に水または液体の流路が得られるため、拡散材３４０６を洗浄および乾燥する能力が向上する。少なくとも図４Ａに示す実施形態を用いれば、振り落としまたは通気部３４００への求心力付加により、少なくとも第２の開口部３４２４を通じて水を除去することができる。
【０１４３】
ハウジング３４０８は、任意の適切な方法により拡散材３４０６を所定位置に保持し得る。例えば、ハウジング３４０８および拡散材３４０６は、共に接合（例えば、共に接着または溶解させてもよいし）あるいは機械的に締結（例えば、摩擦、干渉、戻り止め）してもよい。
【０１４４】
ハウジング３４０８は、単一の一体ピースまたは複数のピースであってもよいし、あるいは、複数のピースを共に接合して単一のピースとしてもよい。壁部３４０４は、ハウジング３４０８に恒久的に接合してもよいし、あるいはハウジング３４０８と一体形成してもよい。ハウジングは、解放不可能な様態で通気部３４００へ取り付けられ得る。これは、破壊無しに取り外されることを意図していない取付けである。解放不可能な取付けを挙げると、接着剤、超音波溶接、焼き鏝による溶解、例えばもともとはワンピースとして形成されたワンタイムスナップ嵌め（例えば、分離されたときに破壊されるように設計されたスナップ嵌め）がある。ハウジング３４０８および／または拡散材３４０６を取り外しできないようにハウジング３４０８が形成されている場合、いくつかの恩恵が達成され得る。例えば、ハウジング３４０８および／または拡散材３４０６を取り外しできない場合、通気部をユーザが不正確または意図せず取り外す事態を回避することができる。
【０１４５】
図４Ｂは、通気部３４００の別の構成を示す。図４Ａの参照符号に関連する記載はここでも適用可能であるため、説明を控える。通気部３４００のこの構成は、空気通路３４１０が省略されている点を除いて図４Ａに示すものに類似する。そのため、隙間３４１２は、通気部３４００の片側から他方側へ延びる。
【０１４６】
図４Ｃは、通気部３４００の別の構成を示す。図４Ａの参照符号に関連する記載はここでも適用可能であるため、説明を控える。ここで、空気通路３４１０を省略している代わりに部材３４２６が図示される。部材３４２６は、拡散材３４０６および／またはハウジング３４０８を固定し得る。
【０１４７】
図４Ｄは、通気部３４００の別の構成を示す。図４Ａの参照符号に関連する記載はここでも適用可能であるため、説明を控える。本図が図４Ａと異なる点として、開口部３４２４の場所が異なる点がある。本図は、開口部３４１６が通気部３４００の周囲全体において連続する連続する開口部であり得ることも示す。しかし、開口部３４２４も連続してもよいが、好適には相互にかつ／または開口部３４１６から不連続出会って方がよい。
【０１４８】
図４Ｅは、通気部３４００の別の構成を示す。図４Ａの参照符号に関連する記載はここでも適用可能であるため、説明を控える。この構成において、通路３４０２は、空気通路３４１０と連通しかつ空気通路３４１０の周囲に整列されるため、図４Ａ〜図４Ｄの平面状構成と比較して全体的に環状の構成を有する通気部３４００が得られる。換言すると、図４Ａ〜図４Ｄ中の通路３４０２は、１つの平面状のまたはほぼ平面状の壁部３４０４内に有る一方、図４Ｅ中の壁部３４０４は円筒型であり、通気部３４００から退出するガスは、連続線によって示す円筒軸に沿って退出する。
【０１４９】
図４Ｆは、通気部３４００の別の構成を示す。図４Ａの参照符号に関連する記載はここでも適用可能であるため、説明を控える。図４Ｆは、開口部３４１６が図４Ｆ中の拡散材３４０６の２つの端部に設けられておりかつ図４Ｅ中の一端のみに設けられている点を除いて、図４Ｅに類似する。
【０１５０】
図４Ａ〜図４Ｆそれぞれにおいて、拡散材３４０６を通じて図示される矢印は、拡散材３４０６を通過する空気流れの概念図であり、拡散材３４０６を流れる実際の空気流れを示していない場合がある。一般的に、これらの矢印はそれぞれ、空気が通路３４０２から退出して表面３４１４を介して拡散材３４０６に進入し、表面３４１４を介して拡散材から退出し、隙間３４１２を通じて流れた後に開口部３４１６を介して周囲へ流出する概念を示す。
【０１５１】
図４Ｇ〜図４Ｉは、通気部３４００の別の構成を示す。図４Ａの参照符号に関連する記載はここでも適用可能であるため、注記を除いて説明を控える。図４Ｇは、通気部３４００の例の斜視図である。通気部３４００は、挿入可能かつ／または取り外し可能なアセンブリである。図４Ｈは、内部構造が見えるように上カバー３４４０が省略された平面図である。図４Ｉは、図４Ｈの横断面図ではあるが上部カバーが含まれたままである。通気部３４００のこの構成は、空気通路３４１０が省略されている点において、図４Ｂに示すものに類似する（しかし、所望であれば設けてもよい）。図４Ｉ中に最良に示すように、支持部３４３４は、拡散材３４０６を支持するように、表面３４１４と接触する。図４Ｈおよび図４Ｉに示すように、支持部３４３４は、隙間３４１２を二等分する隣接する壁部として図示され、隣接して途切れずに延びる。しかし、支持部３４３４は、隣接する必要は無く、１つ以上の隣接しない支持部によって形成され得る（１つ以上の隙間が支持部３４３４内に設けられ得る）。
【０１５２】
別の差として、開口部３４１６の位置がある。開口部３４１６は、実質的に隙間３４１２と一列に設けられる代わりに、開口部３４２０を含む表面から離隔方向にオフセットされ、その結果、隙間３４１２の第２の部位３４１２Ａが拡散材３４０６の周囲を包囲する。この配置構成により、空気が表面３４１４中に流入し、拡散材３４０６の横表面３４３６から流出した後、開口部３４１６から流出することが可能になる。空気を拡散材３４０６を通過させること無く隙間３４１２および第２の部位３４１２Ａを通過させることも可能である。個々の分子の流れは無秩序かつ予測不可能であるため、実際の空気流れは、双方の流路の組み合わせであり得る。しかし、双方の流路を提供することにより、通気部３４００は、拡散材３４０６が詰まったときでも適切な流れを提供し得る。
【０１５３】
図４Ｇおよび図４Ｉは、溝部３４３８を通気部３４００の周囲に示す。このような溝部により、通気部３４００を噛み合い穴部内に（好適には交換可能な様態で）保持することが可能になり得る。例えば、穴部が比較的可撓性の材料（例えば、シリコーン）によって構成される場合、通気部３４００を容易に取り外しすることができるため、クリーニングまたは交換などの作業を１回で行うことが可能になる。
【０１５４】
図４Ｊおよび図４Ｋは、図４Ｉに類似する態様を示すが、偏向器３４４２が追加されている点において異なる。図４Ｊにおいて、偏向器３４４２は、固形の平坦な障害物として図示されており、これにより、空気が拡散材３４０６を通じて壁部３４２８へ直接流れること（例えば、表面３４１４から反対側へ流出すること）が回避される。図４Ｋにおいて、偏向器３４４２は曲線状になっているため、図４Ｊに示す平坦な偏向器の場合よりも拡散材３４０６の側部からより円滑な移行を生成し得る。偏向器３４４２の複数のピースを図４Ｋ中に示しているが、所望の流れ特性の達成に必要な任意の数のピース（例えば、単一のピース）が用いられ得る。双方のバージョンの偏向器３４４２において、偏向器３４４２を拡散材３４０６内に生成するための任意の適切な方法が用いられ得る。例えば、適切な形状の切り込みを拡散材３４０６の側部に設ければ、偏向器３４４２の挿入が可能になり得る。あるいは、拡散材３４０６を複数のピースから構成して、拡散材３４０６の周囲に接合してもよい。
【０１５５】
一態様において、拡散材３４０６は、取り外し可能であり得る。例えば、カバー３４４０を解放可能な様態で取り付けた場合、カバー３４４０を介した機械的保持を通じて拡散材３４０６を保持することができる。カバー３４４０が取り外されると、拡散材３４０６も取り外し可能となる。しかし、別の態様において、拡散材３４０６は取り外し不可能であり得る。例えば、通気部３４００を損壊しないとカバー３４４０を取り外せないようにカバー３４４０が通気部３４００へ取り付けられている場合、拡散材３４０６は取り外し不可能とみなされ得る。あるいは、拡散材３４０６を通気部３４００内に恒久的に（例えば接着剤により）取り付けてもよく、その場合、拡散材３４０６は取り外し時に損壊される。カバー３４４０が損壊無しに取り外し可能であっても、拡散材３４０６を拡散材３４０６を損壊または破壊する様態で固定することができるため、拡散材３４０６は取り外し不可能となる。
【０１５６】
拡散材３４０６の境界を表面３４１４として記述したが、これは、固形本体の表面と異なり得る。拡散材３４０６は、蛇行状の流れが拡散材を通過できるように、多数の開口部または隙間を有し得る。よって、表面３４１４は、拡散材３４０６の境界としてもみなされ得る。
【０１５７】
通気部３４００は、比較的少量のノイズを生成し得るかまたはノイズを抑制し得、その後音波がユーザへ伝搬する。好適には、発生した音は、２８ｄＢ（Ａ）未満である。例えば、音は、２０〜２８ｄＢ（Ａ）、２２〜２６ｄＢ（Ａ）または約２４ｄＢ（Ａ）であり得る。これらの音レベルは、ユーザにも寝室パートナーにも妨害にならないような充分な低いレベルであり得る。
【０１５８】
４．３．５    結合解除構造（複数）  
一形態において、患者インターフェース３０００は、少なくとも１つの結合解除構造（例えば、回り継ぎ手または球窩）を含む。
【０１５９】
４．３．６      接続ポート  
接続ポート３６００は、空気回路４１７０への接続を可能にする。
【０１６０】
４．３．７      前額支持部  
一形態において、患者インターフェース３０００は、前額支持部３７００を含む。
【０１６１】
４．３．８    窒息防止弁  
一形態において、患者インターフェース３０００は、窒息防止弁を含む。
【０１６２】
４．３．９      ポート  
本技術の一形態において、患者インターフェース３０００は、プレナムチャンバ３２００内の量へのアクセスを可能にする１つ以上のポートを含む。一形態において、これにより、臨床医が補充酸素を供給することが可能になる。一形態において、これにより、プレナムチャンバ３２００内のガス（例えば、圧力）の特性を直接測定することが可能になる。
【０１６３】
４．４    用語集
本技術の開示目的のため、本技術の特定の形態において、以下の定義のうち１つ以上が適用され得る。本技術の他の形態において、別の定義も適用され得る。
【０１６４】
４．４．１    一般
空気：本技術の特定の形態において、空気は大気を意味し得、本技術の他の形態において、空気は、他の呼吸可能なガスの組み合わせ（例えば、酸素を豊富に含む大気）を意味し得る。
【０１６５】
雰囲気：本技術の特定の形態において、「雰囲気」という用語は、（ｉ）治療システムまたは患者の外部、および（ｉｉ）治療システムまたは患者を直接包囲するものを意味するものとしてとられるべきである。
【０１６６】
例えば、加湿器に対する雰囲気湿度とは、加湿器を直接包囲する空気の湿度であり得る（例えば、患者が睡眠をとっている部屋の内部の湿度）。このような雰囲気湿度は、患者が睡眠をとっている部屋の外部の湿度と異なる場合がある。
【０１６７】
別の実施例において、雰囲気圧力は、身体の直接周囲または外部の圧力であり得る。
【０１６８】
特定の形態において、雰囲気（例えば、音響）ノイズは、例えばＲＰＴデバイスから発生するかまたはマスクまたは患者インターフェースから発生するノイズ以外の、患者の居る部屋の中の背景ノイズレベルとみなすことができる。雰囲気ノイズは、部屋の外の発生源から発生し得る。
【０１６９】
自動的な気道陽圧（ＡＰＡＰ）療法：ＳＤＢ発症の兆候の存在または不在に応じて、例えば、呼吸間に最小限界と最大限界との間で治療圧力を自動的に調節することが可能なＣＰＡＰ療法。
【０１７０】
持続的気道陽圧（ＣＰＡＰ）療法：治療圧力が患者の呼吸サイクルを通じてほぼ一定である呼吸圧療法。いくつかの形態において、気道への入口における圧力は、呼息時において若干上昇し、吸息時において若干低下する。いくつかの形態において、圧力は、患者の異なる呼吸サイクル間において変動する（例えば、部分的な上気道閉塞の兆候の検出に応答して増加され、部分的な上気道閉塞の通知の不在時において低減される）。
【０１７１】
流量：単位時間あたりに送出される空気の瞬時の量（または質量）。流量とは、瞬間の量を指し得る。場合によっては、流量について言及した場合、スカラー量（すなわち、大きさのみを有する量）を指す。他の場合において、流量について言及した場合、ベクトル量（すなわち、大きさおよび方向両方を持つ量）を指す。流量には、符号Ｑが付与され得る。「流量」を簡略的に「流れ」もしくは「気流」と呼ぶ場合もある。
【０１７２】
患者の呼吸の実施例において、流量は、患者の呼吸サイクルの吸気部分に対してノミナルに陽圧であり得るため、患者の呼吸サイクルの呼気部分に対して負であり得る。合計流量Ｑｔは、ＲＰＴデバイスから退出する空気の流量である。通気流量Ｑｖは、吐き出されたガスの流出を可能にするために通気孔から退出する空気の流量である。漏洩流量Ｑｌは、患者インターフェースシステムまたは他の場所からの漏洩の流量である。呼吸流量Ｑｒは、患者の呼吸器系中に受容される空気の流量である。
【０１７３】
加湿器：「加湿器」という単語は、患者の医療呼吸状態を改善するために治療上有益な量の水（Ｈ２Ｏ）蒸気を空気流れへ提供することが可能な物理的構造を備えて構築、配置または構成された加湿装置を意味するものとして解釈される。
【０１７４】
漏洩：「漏洩」という用語は、意図しない空気流れとしてとられる。一実施例において、漏洩は、マスクと患者の顔との間のシールが不完全であることに起因して発生し得る。別の実施例において、漏洩は、周囲に対する回りエルボーにおいて発生し得る。
【０１７５】
ノイズ伝導（音響）：本文書において、伝導ノイズとは、空気圧式経路（例えば、空気回路および患者インターフェースおよびその内部の空気）によって患者へ搬送されるノイズを指す。一形態において、伝導ノイズは、空気回路の端部における音圧レベルを測定することにより、定量化され得る。
【０１７６】
ノイズ放射（音響）：本文書において、放射ノイズとは、周囲空気によって患者へ搬送されるノイズを指す。一形態において、放射ノイズは、当該対象の音響パワー／圧力レベルをＩＳＯ３７４４に従って測定することにより、定量化され得る。
【０１７７】
ノイズ通気（音響）：本文書において、通気ノイズとは、任意の通気（例えば、患者インターフェース中の通気穴）を通じた空気流れにより生成されるノイズを指す。
【０１７８】
患者：呼吸器疾患に罹患しているかまたはしていない人。
【０１７９】
圧力：単位面積あたりの力。圧力は、多様な単位で表現測定され得る（例えば、ｃｍＨ２Ｏ、ｇ−ｆ／ｃｍ２、及びヘクトパスカル）。１ｃｍＨ２Ｏは、１ｇ−ｆ／ｃｍ２に等しく、およそ０．９８ヘクトパスカルである。本明細書において、他に明記無き限り、圧力はｃｍＨ２Ｏの単位で付与される。
【０１８０】
患者インターフェース中の圧力には記号Ｐｍが付与され、現時点においてマスク圧力Ｐｍが達成すべき目標値を表す治療圧力には記号Ｐｔが付与される。
【０１８１】
呼吸圧力治療（ＲＰＴ）：雰囲気に対して典型的には陽圧である治療圧力における空気供給の気道入口への付加。
【０１８２】
人工呼吸器：患者が呼吸動作の一部または全てを行い際に圧力補助を提供する機械的デバイス。
【０１８３】
４．４．１．１    材料
シリコーンまたはシリコーンエラストマー：合成ゴム。本明細書において、シリコーンについて言及される場合、液体シリコーンゴム（ＬＳＲ）または圧縮成形シリコーンゴム（ＣＭＳＲ）を指す。市販のＬＳＲの一形態として、Ｄｏｗ  Ｃｏｒｎｉｎｇによって製造されるＳＩＬＡＳＴＩＣ（この登録商標下において販売される製品群に含まれる）がある。別のＬＳＲ製造業者として、Ｗａｃｋｅｒがある。他に逆の明記無き限り、例示的形態のＬＳＲのＡＳＴＭＤ２２４０によって測定した場合のショアＡ（またはタイプＡ）押込み硬さは、約３５〜約４５である。
【０１８４】
ポリカーボネート：ビスフェノールＡカーボネートの熱可塑性ポリマーである。
４．４．１．２    機械的特性
【０１８５】
弾性：弾性変形時にエネルギーを吸収することおよび除荷時にエネルギーを解放することが可能な材料の能力。
【０１８６】
弾性のある：除荷時に実質的に全てのエネルギーを解放する。例えば特定のシリコーンおよび熱可塑性エラストマーを含む。
【０１８７】
硬度：材料自体の変形に抵抗する能力（例えば、ヤング係数または規格化されたサンプルサイズ上において測定された押込硬さスケールによって記述されたもの）。
‐    「軟性」材料は、シリコーンまたは熱可塑性エラストマー（ＴＰＥ）を含み得、例えば指圧力下において容易に変形し得る。
‐    「硬質」材料は、ポリカーボネート、ポリプロピレン、鋼またはアルミニウムを含み得、例えば指圧力下において容易に変形し得ない。
【０１８８】
構造または構成要素の剛度（または剛性）：構造または構成要素が負荷を受けたときに変形に抵抗する能力。負荷は、力またはモーメントであり得る（例えば、圧縮、伸張、屈曲またはねじれ）。構造または構成要素は、異なる方向において異なる抵抗を提供し得る。
【０１８９】
フロッピー構造または構成要素：自重を支持させられた際に比較的短期間（例えば、１秒）以内に形状を変化させる（例えば、屈曲する）構造または構成要素。
【０１９０】
剛性の構造または構成要素：使用時において典型的に遭遇する負荷を受けた際に実質的に形状変化の無い構造または構成要素。このような用途の実施例として、患者インターフェースを例えばおよそ２０〜３０ｃｍＨ２Ｏの圧力の負荷において患者気道入口に対して密閉した様態でセットアップおよび維持することがあり得る。
【０１９１】
一実施例として、Ｉ形ばりは、第２の直交方向と比較した第１の方向において、異なる曲げ剛性（曲げ負荷に対する抵抗）を含み得る。別の実施例において、構造または構成要素は、第１の方向においてはフロッピーであり得、第２の方向においては剛性であり得る。
【０１９２】
４．４．２    呼吸サイクル
無呼吸：いくつかの定義によれば、無呼吸とは、所定の閾値を下回った流れが例えば１０秒間の継続期間にわたって継続した場合に発生したと言われる。閉塞性無呼吸とは、患者の労作にもかかわらず、何らかの気道閉塞により空気の流れが許されないときに発生すると言われる。中枢性無呼吸とは、気道が開通しているにも関わらず呼吸努力の低下または呼吸努力の不在に起因して無呼吸が検出された状態を指すと言われる。混合無呼吸とは、呼吸努力の低下または不在が気道閉塞と同時発生した状態を指すと言われる。
【０１９３】
呼吸速度：患者の自発呼吸速度であり、通常は毎分あたりの呼吸回数で測定される。
【０１９４】
負荷サイクル：吸息時間Ｔｉの合計呼吸時間Ｔｔｏｔに対する比。
【０１９５】
労作（呼吸）：呼吸努力は、呼吸しようとしている人の自発呼吸によって行われる動きを指すと言われる。
【０１９６】
呼吸サイクルの呼気部分：呼気流れの開始から吸気流れの開始までの期間。
【０１９７】
流量制限：流量制限は、患者による労作の増大が流量の対応する増大を引き起こさない患者の呼吸における状況であると解釈される。呼吸サイクルの吸気部分において流量制限が発生した場合、当該流量制限は吸気流量制限と称することができる。呼吸サイクルの呼気部分において流量制限が発生した場合、当該流量制限は呼気流量制限と称することができる。
【０１９８】
流れ制限吸気の波形の種類：
（ｉ）平坦化：上昇の後に比較的平坦な部位が続いた後、下降が発生すること。
（ｉｉ）Ｍ字型：立ち上がりにおいて１つおよび立ち下がりにおいて１つの２つの局所的ピークを持ち、これら２つのピークの間に比較的平坦な部位がある。
（ｉｉｉ）椅子状：単一の局所的ピークを持ち、このピークが立ち上がり部分に発生した後、比較的平坦な部位が続く。
（ｉｖ）逆椅子状：比較的平坦な部位の後に単一の局所的ピークが続き、このピークが立ち下がり部分に発生する。
【０１９９】
呼吸低下：一部の定義によれば、呼吸低下は、流れの中断ではなく、流れの低下を意味する。一形態において、閾値速度を下回った流れ低下が継続期間にわたって続いた場合、呼吸低下が発生したと言われる。呼吸努力の低下に起因して呼吸低下が検出された場合、中枢性呼吸低下が発生したと言われる。成人の一形態において以下のうちいずれかが発生した場合、呼吸低下と見なされ得る：
（ｉ）患者呼吸の３０％の低下が少なくとも１０秒＋関連する４％の脱飽和、または、
（ｉｉ）患者呼吸の（５０％未満の）低下が少なくとも１０秒間継続し、関連して脱飽和が少なくとも３％であるかまたは覚醒が発生する。
【０２００】
過呼吸：流れが通常の流量よりも高いレベルまで増加すること。
【０２０１】
呼吸サイクルの吸気部分：吸気流れの開始から呼気流れの開始までの期間が、呼吸サイクルの吸気部分としてとられる。
【０２０２】
開通性（気道）：気道が開いている度合いまたは気道が開いている範囲。気道開通性とは、開口である。気道開通性の定量化は、例えば、開通性を示す値（１）と、閉鎖（閉塞）を示す値（０）で行われ得る。
【０２０３】
呼気終末陽圧（ＰＥＥＰ）：肺中の大気を越える圧力であり、呼気終了時に存在する。
【０２０４】
ピーク流量（Ｑｐｅａｋ）：呼吸流れ波形の吸気部分における流量最大値。
【０２０５】
呼吸気流量、空気流量、患者の空気流量、呼吸気空気流量（Ｑｒ）：これらの用語は、ＲＰＴデバイスの呼吸流量の推定を指すものとして理解され得、通常リットル／分で表される患者の実際の呼吸流量である「真の呼吸流量」または「真の呼吸流量」と対照的に用いられる。
【０２０６】
１回換気量（Ｖｔ）：余分な努力をせずに通常の呼吸時に吸い込まれたかまたは吐き出された空気の量である。
【０２０７】
（吸息）時間（Ｔｉ）：呼吸流量波形の吸気部分の継続期間。
【０２０８】
（呼息）時間（Ｔｅ）：呼吸流量波形の呼気部分の継続期間。
【０２０９】
（合計）時間（Ｔｔｏｔ）：呼吸流量波形の一つの吸気部分の開始と呼吸流量波形の次の吸気部分の開始との間の合計継続期間。
【０２１０】
典型的な最近の換気：所定の時間スケールにわたる換気Ｖｅｎｔの直近値が密集する傾向となる換気値（すなわち、換気の直近値の中心の傾向の度合い）。
【０２１１】
上気道閉塞（ＵＡＯ）：部分的な上気道閉塞および合計上気道閉塞両方を含む。上気道上の圧力差の増加（スターリングレジスタ挙動）と共に流量がわずかに増加するかまたは低下し得る流量制限の状態と関連し得る。
【０２１２】
換気（Ｖｅｎｔ）：患者の呼吸器系によって行われるガス交換率の測定。換気の測定は、単位時間あたりの吸気および呼気流のうち片方または双方を含み得る。１分あたりの体積として表される場合、この量は、「分換気」と呼ばれることが多い。分換気は、単に体積として付与されることもあり、１分あたりの体積として理解される。
【０２１３】
４．４．３    換気
適応サーボ人工呼吸器（ＡＳＶ）：一定の目標換気を持つのではなく変更が可能なサーボ人工呼吸器。変更可能な目標換気は、患者の何らかの特性（例えば、患者の呼吸特性）から学習され得る。
【０２１４】
バックアップレート：人工呼吸器のパラメータであり、（自発呼吸努力によってトリガされない場合に）人工呼吸器から患者へ送達される最小呼吸速度（典型的には、１分あたりの呼吸数）を確立させる。
【０２１５】
サイクル：人工呼吸器の吸気フェーズの終了。自発呼吸をしている患者へ人工呼吸器から呼吸を送達する場合、呼吸サイクルの吸気部分の終了時において、当該人工呼吸器は、呼吸送達を停止するようサイクルされると言われる。
【０２１６】
呼気の気道陽圧（ＥＰＡＰ）：人工呼吸器が所与の時期に達成しようとする所望のマスク圧力の生成のために、呼吸内において変化する圧力が付加される基本圧力。
【０２１７】
終了時呼気圧力（ＥＥＰ）：呼吸の呼気部分の終了時において人工呼吸器が達成しようとする所望のマスク圧力。圧力波形テンプレートΠ（Φ）が呼気終了時にゼロの値である（すなわち、Φ＝１のときにΠ（Φ）＝０である場合）、ＥＥＰはＥＰＡＰに等しい。
【０２１８】
吸息の気道陽圧（ＩＰＡＰ）：呼吸の吸気部分時に人工呼吸器が達成しようとする最大の所望のマスク圧力。
【０２１９】
圧力補助：人工呼吸器吸気時における当該人工呼吸器呼気時における圧力増加を示す数であり、吸気時の最大値と、基本圧力との間の圧力差を主に意味する（例えば、ＰＳ＝ＩＰＡＰ−ＥＰＡＰ）。いくつかの文脈において、圧力補助とは、（人工呼吸器が実際に達成する差ではなく）人工呼吸器が達成しようとする差を意味する。
【０２２０】
サーボ人工呼吸器：患者換気を有しかつ目標換気を有する人工呼吸器であり、患者換気を目標換気に近づけるために圧力補助レベルを調節する。
【０２２１】
自発／タイミング（Ｓ／Ｔ）：自発呼吸している患者の呼吸の開始を検出しようとする、人工呼吸器または他のデバイスのモード。しかし、デバイスが所定期間の間に呼吸を検出できない場合、デバイスは、呼吸送達を自動的に開始する。
【０２２２】
スイング：圧力補助に相当する用語。
【０２２３】
トリガ：人工呼吸器が自発呼吸する患者へ空気の呼吸を送達する場合、患者自身が呼吸サイクルの呼吸部分を開始したとき、当該人工呼吸器が呼吸送達を行うようトリガされたと言う。
【０２２４】
典型的な最近の換気：典型的な最近の換気Ｖｔｙｐは、一定の所定の時間スケールにわたって最近の換気測定が密集する傾向となる一定範囲の値である。例えば、最近の履歴にわたる換気測定の中心的傾向の測定は、典型的な最近の換気の適切な値であり得る。
【０２２５】
４．４．４    解剖学的構造
４．４．４．１    顔の解剖学的構造
翼（Ａｌａ）：外部の外壁または各鼻穴の「翼」（複数形：ａｌａｒ）
【０２２６】
翼角度：
【０２２７】
Ａｌａｒｅ：鼻翼上の最外側の点。
【０２２８】
翼曲率（または鼻翼頂上）点：各翼の曲線状基準線における最後方点であり、翼および頬の結合によって形成される折り目において見受けられる。
【０２２９】
耳介：耳の視認できる部分全体。
【０２３０】
（鼻）骨格：鼻の骨格は、鼻骨、上顎骨の前頭突起および前頭骨の鼻部分を含む。
【０２３１】
（鼻）軟骨格：鼻の軟骨格は、中隔軟骨、外側軟骨、大軟骨および小軟骨を含む。
【０２３２】
鼻柱：鼻孔を分離する皮膚片であり、鼻尖点から上唇へ延びる。
【０２３３】
鼻柱角度：鼻穴の中点を通じて引かれる線と、鼻下点と交差しつつフランクフルト水平に対して垂直に引かれる線との間の角度。
【０２３４】
フランクフォート水平面：眼窩縁の最下側点から左耳点へ延びる線。耳点は、ノッチ上側から耳介の耳珠への最も深い点である。
【０２３５】
眉間：軟組織中に配置され、前額部の正中矢状において最も顕著な点。
【０２３６】
外側鼻軟骨：軟骨の概して三角形の板。その上側周縁は鼻骨および上顎骨の前頭突起へ取り付けられ、その下側周縁は大鼻翼軟骨へ接続される。
【０２３７】
大鼻翼軟骨：軟骨の板であり、外側鼻軟骨の下側に配置される。これは、鼻孔の前方部分の周囲において曲線状になる。その後端は、３つまたは４つの翼の小軟骨を含む強靱な線維膜により、上顎骨の前頭突起へ接続される。
【０２３８】
鼻孔（鼻穴）：概して楕円体の翼穴であり、鼻腔への入口を形成する。鼻孔（ｎａｒｅｓ）の単数形は鼻孔（ｎａｒｉｓ）（鼻穴）である。これらの鼻孔は、鼻中隔によって分離される。
【０２３９】
鼻唇溝または鼻唇折り目：皮膚の折り目または溝であり、鼻の各側から口腔の角部へ延びて、頬を上唇から分離させる。
【０２４０】
鼻唇角：鼻柱と上唇との間の角度であり、鼻下点と交差する。
【０２４１】
耳基底下点：耳介の顔の皮膚への取り付けの最低点。
【０２４２】
耳基底上点：耳介の顔の皮膚への取り付けの最高点。
【０２４３】
鼻尖点：鼻の最も突出した点または先端であり、頭部の部分の残り部分の側面図中に確認され得る。
【０２４４】
人中：鼻中隔の下側境界から上唇領域中の唇の上部へ延びる正中線溝。
【０２４５】
ポゴニオン：軟組織上に配置された、顎の最前方中点。
【０２４６】
（鼻）堤：鼻堤は、鼻の正中線隆起であり、セリオンから鼻尖点へ延びる。
【０２４７】
矢状面：前方（前）から後方（後）へ続く垂直面であり、本体を右半分および左半分に分割する。
【０２４８】
セリオン：軟組織上に配置された、前頭鼻骨縫合の領域上の最も凹状の点である。
【０２４９】
中隔軟骨（鼻）：鼻中隔軟骨は、隔膜の一部であり、鼻腔の前部分を分割する。
【０２５０】
鼻翼最下点：翼ベースの下側周縁における点であり、翼ベースは上（上）唇の皮膚と接合する。
【０２５１】
鼻下点：軟組織上に配置され、鼻柱が正中矢状における上唇と合体する点。
【０２５２】
スプラメントン：下唇中点と軟組織ポゴニオンとの間の下唇の正中線中の最も凹状の点。
【０２５３】
４．４．４．２    頭蓋骨の解剖学的構造
前頭骨：前頭骨は、前額部として知られる領域に対応する大型垂直部分である前頭鱗を含む。
【０２５４】
下顎骨：下顎骨は、下側顎部を形成する。オトガイ隆起は、顎部の骨隆起であり、顎を形成する。
【０２５５】
上顎骨：上顎骨は、上側顎部を形成し、下顎の下側および眼窩の下側に配置される。上顎骨の前頭突起は、鼻の側部によって上方に突出し、その外側境界の部分を形成する。
【０２５６】
鼻骨：鼻骨は、２つの小さな長方形骨であり、個人によってサイズおよび形態が異なる。鼻骨は、顔の中間部分および上部分に並んで配置され、その接合により鼻の「ブリッジ」を形成する。
【０２５７】
鼻根点：前頭骨および２本の鼻骨の交差であり、眼と鼻のブリッジの上側との間に直接設けられた凹領域である。
【０２５８】
後頭骨：後頭骨は、頭蓋の裏および下側部分に配置される。後頭骨は、楕円穴である大後頭孔を含み、この穴を通じて、頭蓋内腔が椎管と連痛する。大後頭孔の後側の曲面板は、後頭鱗である。
【０２５９】
眼窩：頭蓋骨中の骨空洞であり、眼球を含む。
【０２６０】
頭頂骨：頭頂骨は、相互に接合されると頭蓋の頂部および側部を形成する骨である。
【０２６１】
側頭骨：側頭骨は、頭蓋骨のベースおよび側部上に配置され、こめかみとして知られる顔の部分を支持する。
【０２６２】
頬骨：顔に含まれる２つの頬骨は、顔の上側部分および外側部分中に配置され、頬の隆起を形成する。
【０２６３】
４．４．４．３    呼吸器系の解剖学的構造
横隔膜：シート状の筋肉であり、胸郭下部上に延びる。横隔膜は、心臓、肺および肋骨を含む胸腔を腹腔から分離させる。横隔膜が収縮すると、胸腔の容量が増加し、肺中に空気が引き込まれる。
【０２６４】
喉頭：声帯ひだを収容する喉頭または発声器であり、咽頭の下部（下咽頭）を気管へ接続させる。
【０２６５】
肺：ヒトにおける呼吸臓器。肺の伝導性ゾーンは、気管、気管支、気管支、および終末細気管支を含む。呼吸ゾーンは、呼吸気管支、肺胞管および肺胞を含む。
【０２６６】
鼻腔：鼻腔（または鼻窩）は、顔の中央の鼻の上方および後方の空気が充填された大きな空間である。鼻腔は、鼻中隔と呼ばれる垂直フィンによって２つに分割される。鼻腔の側部には、鼻甲介または鼻介骨と呼ばれる３つの水平伸長物がある。鼻腔の前方には鼻があり、後方は後鼻孔を介して鼻咽頭内に繋がる。
【０２６７】
咽頭：鼻腔の直接下側（下方）に配置されかつ食道および喉頭の上方に配置された咽喉の部分。咽頭は、従来から以下の３つの部分へ区分される：鼻咽頭（上咽頭）（咽頭の鼻部分）、口咽頭（中咽頭）（咽頭の口部分）、および咽喉（下咽頭）。
【０２６８】
４．４．５    患者インターフェース
窒息防止弁（ＡＡＶ）：マスクシステムの構成要素またはサブアセンブリであり、フェールセーフ様態での雰囲気中への開口により、患者による過度のＣＯ２の再呼吸の危険性を低減させる。
【０２６９】
エルボー：エルボーは、内部を移動する空気の流れの軸を方向付けて、角度を通じて方向を変化させる構造の実施例である。一形態において、角度はおよそ９０度であり得る。別の形態において、角度は、９０度超過または未満であり得る。エルボーは、ほぼ円形の断面を持ち得る。別の形態において、エルボーは、楕円または矩形の断面を持ち得る。特定の形態において、エルボーは、噛み合い構成要素に対して例えば約３６０度で回転可能であり得る。特定の形態において、エルボーは、噛み合い構成要素から例えばスナップ接続を介して取り外すことが可能であり得る。特定の形態において、エルボーは、製造時にワンタイムスナップを介して噛み合い構成要素へ組み付けることが可能である一方、患者が取り外すことはできない。
【０２７０】
フレーム：フレームは、ヘッドギアを接続する２つ以上の点間の引張荷重を支持するマスク構造を意味するものとしてとられる。マスクフレームは、マスク中の非気密負荷支持構造であり得る。しかし、いくつかの形態のマスクフレームは、気密であってもよい。
【０２７１】
ヘッドギア：ヘッドギアは、頭部上において使用されるように設計された、一形態の位置決めおよび安定化構造を意味するものとしてとられる。例えば、ヘッドギアは、患者インターフェースを呼吸治療の送達のために患者の顔上の所定位置に配置および保持するように構成された１つ以上の支柱、タイおよび補剛材の集合を含み得る。いくつかのタイは、柔らかい可撓性の弾性材料（例えば、発泡材料および布地の層状複合材）によって形成される。
【０２７２】
膜：膜は、典型的には肉薄の要素を意味するものとしてとられ、好適には屈曲に対して実質的に抵抗せずかつ伸縮に対しては抵抗する。
【０２７３】
プレナムチャンバ：マスクプレナムチャンバは、空間の容積を少なくとも部分的に封入する壁を有する患者インターフェースの一部を意味するものとしてとられ、容積中の空気は、加圧されて使用時において気圧を超える。シェルは、マスクプレナムチャンバの壁の一部を形成し得る。
【０２７４】
シール：名詞（「シール」）として用いられる場合は構造を指し得、動詞（「密閉（する）」）として用いられる場合はその効果を指し得る。２つの要素は、別個の「シール」要素自体を必要とすることなく両者間において「シール」するかまたは「密閉」効果を得るように、構築および／または配置され得る。
【０２７５】
シェル：シェルは、屈曲、引っ張りおよび圧縮剛性を有する曲線状の比較的肉薄構造を意味するものとしてとられる。例えば、マスクの曲線状構造壁は、シェルであり得る。いくつかの形態において、シェルはファセットされ得る。いくつかの形態において、シェルは気密であり得る。いくつかの形態において、シェルは気密でない場合もある。
【０２７６】
補剛材：補剛材は、別の構成要素の剛軟度を少なくとも１つの方向において増加させるように設計された構造構成要素を意味するものとしてとられる。
【０２７７】
支柱：支柱は、別の構成要素の圧縮抵抗を少なくとも１つの方向において増加させるように設計された構造構成要素を意味するものとしてとられる。
【０２７８】
スイベル（名詞）：構成要素のサブアセンブリであり、共通軸の周囲において好適には独立して好適には低トルク下において回転するように構成される。一形態において、スイベルは、少なくとも３６０度の角度で回転するように構成され得る。別の形態において、スイベルは、３６０度未満の角度で回転するように構成され得る。空気送達導管の文脈において用いられる場合、構成要素のサブアセンブリは好適には、一対組み合わせの円筒導管を含む。使用時において、スイベルからの空気流れの漏れはほとんど無い。
【０２７９】
タイ（名詞）：張力に抵抗するように設計された構造。
【０２８０】
通気：（名詞）：マスクまたは導管の内部の周囲空気への空気流れを可能にする構造であり、吐き出されたガスの臨床的に有効な洗い流しを可能にする。例えば、臨床的に有効な洗い流しにおいては、約１０リットル／分〜約１００リットル／分の流量がマスク設計および治療圧力に応じて用いられ得る。
【０２８１】
４．４．６    構造の形状
本技術による製品は、１つ以上の三次元機械構造（例えば、マスククッションまたはインペラ）を含み得る。三次元構造は、二次元表面によって制限され得る。これらの表面は、関連付けられた表面の方向、位置、機能または他の何らかの特性を記述するためのラベルを用いて区別され得る。例えば、構造は、前表面、後表面、内面および外面のうち１つ以上を含み得る。別の実施例において、シール形成構造は、顔接触（例えば、外側の）表面と、別個の非顔接触（例えば、下側または内側の）表面を含み得る。別の実施例において、構造は、第１の表面および第２の表面を含み得る。
【０２８２】
三次元構造の形状および表面の説明を容易にするために、構造の表面を通じた点ｐにおける断面について先ず検討する。図３Ｂ〜図３Ｆを参照されたい。図３Ｂ〜図３Ｆは、表面上における点ｐにおける断面例と、その結果得られる平面曲線の例とを示す。図３Ｂ〜図３Ｆは、ｐにおける外向き法線ベクトルも示す。ｐにおける外向き法線ベクトルは、表面から離隔方向に延びる。いくつかの実施例において、架空の小さな人が表面上に直立している観点から、この表面について説明する。
【０２８３】
４．４．６．１    一次元における曲率
ｐにおける平面曲線の曲率は、符号（例えば、正、負）および大きさ（例えば、ｐにおいて曲線に接する円形の１／半径）を持つものとして記述され得る。
【０２８４】
正の曲率：ｐにおける曲線が外向き法線に向かって曲がる場合、その点における曲率は、正の値を持つものとしてとられる（この架空の小さな人が点ｐから立ち去る場合、上り坂を歩行する必要がある）。図３Ｂ（図３Ｃと比較して比較的大きな正の曲率）および図３Ｃ（図３Ｂと比較して比較的小さな正の曲率）を参照されたい。このような曲線を、凹状と呼ぶことが多い。
【０２８５】
ゼロ曲率：ｐにおける曲線が直線である場合、曲率はゼロとしてとられる（この架空の小さな人が点ｐから立ち去る場合、上向きでも下向きでもない水平面を歩行することができる）。図３Ｄを参照されたい。
【０２８６】
負の曲率：ｐにおける曲線が外向き法線から離隔方向に曲がる場合、その点およびその方向における曲率は、負の値を持つものとしてとられる（この架空の小さな人が点ｐから立ち去る場合、下り坂を歩行する必要がある）。図３Ｅ（図３Ｆと比較して比較的小さな負の曲率）および図３Ｆ（図３Ｅと比較して比較的大きな負の曲率）を参照されたい。このような曲線は、凸状と呼ばれることが多い。
【０２８７】
４．４．６．２    二次元表面の曲率
本技術による二次元表面上の所与の点における形状の記述は、複数の垂直断面を含み得る。複数の断面は、外向き法線（「法平面」）を含む面において表面を切断し得、各断面は、異なる方向においてとられ得る。各断面の結果、対応する曲率を有する平面曲線が得られる。その点における異なる曲率は、同一符号または異なる符号を持ち得る。その点における曲率はそれぞれ、（例えば、比較的小さな）大きさを有する。図３Ｂ〜図３Ｆ中の平面曲線は、特定の点におけるこのような複数の断面の例であり得る。
【０２８８】
主要な曲率および方向：曲線の曲率が最大値および最小値をとる法平面の方向を主要な方向と呼ぶ。図３Ｂ〜図３Ｆの実施例において、最大曲率は図３Ｂにおいて発生し、最小は図３Ｆにおいて発生するため、図３Ｂおよび図３Ｆは、主要な方向における断面である。ｐにおける主要な曲率は、主要な方向における曲率である。
【０２８９】
表面の領域：表面上の連結された点の集合。領域内のこの１組の点は、類似の特性（例えば、曲率または符号）を持ち得る。
【０２９０】
サドル領域：（上り坂または下り坂を歩行し得る架空の人が向く方向に応じて）各点において主要な曲率が反対の符号（すなわち、片方が正の符号および他方が負の符号）を有する領域。
【０２９１】
ドーム領域：各点において主要な曲率が同一符号（双方とも正（「凹状ドーム」）または双方とも負（「凸状ドーム」））を持つ領域。
【０２９２】
円筒型領域：１つの主要な曲率がゼロ（または、例えば製造公差内のゼロ）をとり、他方の主要な曲率が非ゼロである領域。
【０２９３】
平面領域：主要な曲率双方がゼロであるか（または例えば製造交差内のゼロである）表面の領域。
【０２９４】
表面の縁部：表面または領域の境界または限界。
【０２９５】
経路：本技術の特定の形態において、「経路」は、数学的−トポロジー的意味合いにおける経路（例えば、表面上におけるｆ（０）からｆ（１）への連続空間曲線）を意味するものとしてとられる。本技術の特定の形態において、「経路」は、例えば表面上の１組の点を含むルートまたはコースとして記述され得る。（架空の人の経路は、表面上において歩行する場所であり、庭の経路に類似する）。
【０２９６】
経路長さ：本技術の特定の形態において、「経路長さ」とは、表面に沿ったｆ（０）からｆ（１）への距離（すなわち、表面上の経路に沿った距離）を指すものとしてとられる。表面上の２つの点間において１つよりも多くの経路があり得、このような経路は、異なる経路長さを持ち得る。（架空の人の経路長さは、表面上を経路に沿って歩行する距離である）。
【０２９７】
直線距離：直線距離は、表面上の２つの点間の距離であるが、表面は考慮しない。平面領域上において、表面上の２つの点間の直線距離と同一の経路長さを有する表縁上の距離がある。非平面表面上において、２つの点間の直線距離と同一の経路長さを有する経路は存在し得ない。（架空の人にとって、直線距離は、「カラスが飛ぶ」距離に対応する）。
【０２９８】
４．４．６．３    空間曲線
空間曲線：平面曲線と異なり、空間曲線は、任意の特定の平面内に必ずしも存在しない。空間曲線は閉鎖され得る。すなわち、終点を有さない。空間曲線は、三次元空間の一次元ピースとみなされ得る。ＤＮＡ螺旋の鎖上を歩行している架空の人物は、空間曲線に沿って歩行する。典型的なヒトの左耳は、左手螺旋を含む（図３Ｑを参照）。典型的なヒトの右耳は、右手螺旋を含む（図３Ｒを参照）。図３Ｓは、右手螺旋を示す。構造の縁部（例えば、膜または羽根車の縁部）は、空間曲線をたどり得る。一般的に、空間曲線は、空間曲線上の各点における曲率およびねじれによって記述され得る。ねじれとは、平面から発生する曲線の様態の尺度である。ねじれは、符号および大きさを有する。空間曲線上の点におけるねじれは、当該点における接線ベクトル、法線ベクトルおよび従法線ベクトルに対して特徴付けられ得る。
【０２９９】
接線単位ベクトル（または単位接線ベクトル）：曲線上の各点について、当該点におけるベクトルは、当該点からの方向および大きさを指定する。接線単位ベクトルとは、当該点における曲線と同じ方向を向く単位ベクトルである。架空の人物が曲線に沿って飛行しており、特定の点において自身の車両から落ちた場合、接線ベクトルの方向は、その人物が移動しているはずの方向である。
【０３００】
単位法線ベクトル：架空の人物が曲線に沿って移動している場合、この接線ベクトルそのものが変化する。接線ベクトルが変化している方向と同じ方向を向く単位ベクトルは、単位主法線ベクトルと呼ばれる。これは、接線ベクトルに対して垂直である。
【０３０１】
従法線単位ベクトル：従法線単位ベクトルは、接線ベクトルおよび主法線ベクトル双方に対して垂直である。その方向は、右手の法則（例えば図３Ｐを参照）または表すあるいは左手の法則（図３Ｏ）によって決定され得る。
【０３０２】
接触平面：単位接線ベクトルおよび単位主法線ベクトルを含む平面。図３Ｏおよび図３Ｐを参照されたい。
【０３０３】
空間曲線のねじれ：空間曲線の点におけるねじれとは、当該点における従法線単位ベクトルの変化速度の大きさである。これは、曲線の接触平面からの逸脱の程度を測定する。平面内にある空間曲線のねじれはゼロである。空間曲線の接触平面からの逸脱が比較的少量である場合、その空間曲線のねじれの大きさは比較的小さい（例えば、緩やかに傾斜する螺旋状経路）。空間曲線の接触平面からの逸脱が比較的大量である場合、その空間曲線のねじれの大きさは比較的大きい（例えば、急勾配に傾斜する螺旋状経路）。図３Ｓを参照して、Ｔ２＞Ｔ１であるため、図３Ｓの螺旋の最上部コイルの近隣のねじれの大きさは、図３Ｓの螺旋の最下部コイルのねじれの大きさよりも大きい。
【０３０４】
図３Ｐの右手の法則を参照して、右手従法線の方向に向かって曲がる空間曲線は、右手方向に正のねじれとしてみなされ得る（例えば、図３Ｓに示すような右手螺旋）。右手従法線方向から離隔方向を向く空間曲線は、右手の負のねじれを持つものとしてみなされ得る（例えば、左手螺旋）。
【０３０５】
同様に、左手の法則（図３Ｏを参照）を参照して、左手従法線方向を向く空間曲線は、左手の正のねじれ（例えば、左手螺旋）を持つものとしてみなされ得る。よって、左手の正の方向は、右手の負の方向に相当する。図３Ｔを参照されたい。
【０３０６】
４．４．６．４    穴
表面は、一次元穴を持ち得る（例えば、平面曲線または空間曲線によって境界付けられた穴）。穴を含む肉薄構造（例えば、膜）の場合、この構造は、一次元穴を有するものとして記述され得る。例えば、図３Ｉに示す構造の表面中の一次元穴が平面曲線によって境界付けられる様子を参照されたい。
【０３０７】
構造は、二次元穴（例えば、表面によって境界付けられた穴）を持ち得る。例えば、可膨張性タイヤは、タイヤ内面によって境界付けられた二次元穴を有する。別の実施例において、空気またはゲルのための空洞を備えたブラダーは、二次元穴を持ち得る。例えば図３Ｌのクッション、および二次元穴を境界付ける内面が示される図３Ｍおよび図３Ｎにおける図３Ｌの例示的断面を参照されたい。さらに別の実施例において、導管は、（例えばその入口またはその出口において）一次元穴を含み得、導管の内面によって境界付けられた二次元穴を含み得る。図３Ｋに示す構造を通じておりかつ図示のように表面によって境界付けられた二次元穴も参照されたい。
【０３０８】
４．５    他の注意事項
本特許文書の開示の一部は、著作権保護が与えられる内容を含む。著作権所有者は、何者かが本特許文書または本特許開示をファックスにより再生しても、特許庁の特許ファイルまたは記録に記載されるものであれば目的のものであれば異論は無いが、その他の目的については全ての著作権を保持する。
【０３０９】
他に文脈から明確に分かる場合および一定の範囲の値が提供されていない限り、下限の単位の１／１０、当該範囲の上限と下限の間、および記載の範囲の他の任意の記載の値または介入値に対する各介入値は本技術に包含されることが理解される。介入範囲中に独立的に含まれるこれらの介入範囲の上限および下限が記載の範囲における制限を特に超えた場合も、本技術に包含される。記載の範囲がこれらの制限のうち１つまたは双方を含む場合、これらの記載の制限のいずれかまたは双方を超える範囲も、本技術に包含される。
【０３１０】
さらに、本明細書中に値（単数または複数）が本技術の一部として具現される場合、他に明記無き限り、このような値が近似され得、実際的な技術的実行が許容または要求する範囲まで任意の適切な有効桁までこのような値を用いることが可能であると理解される。
【０３１１】
他に明記しない限り、本明細書中の全ての技術用語および科学用語は、本技術が属する分野の当業者が一般的に理解するような意味と同じ意味を持つ。本明細書中に記載の方法および材料に類似するかまたは等しい任意の方法および材料を本技術の実践または試験において用いることが可能であるが、限られた数の例示的方法および材料が本明細書中に記載される。
【０３１２】
特定の材料が構成要素の構築に好適に用いられるものとして記載されているが、特性が類似する明白な代替的材料が代替物として用いられる。さらに、それとは反対に記載無き限り、本明細書中に記載される任意および全ての構成要素は、製造可能なものとして理解されるため、集合的にまたは別個に製造され得る。
【０３１３】
本明細書中及び添付の特許請求の範囲において用いられるように、単数形である「ａ」、「ａｎ」および「ｔｈｅ」は、文脈から明らかにそうでないことが示されない限り、その複数の均等物を含む点に留意されたい。
【０３１４】
本明細書中に記載される公開文献は全て、これらの公開文献の対象である方法および／または材料の開示および記載、参考のために援用される。本明細書中に記載の公開文献は、本出願の出願日前のその開示内容のみのために提供するものである。本明細書中のいずれの内容も、本技術が先行特許のためにこのような公開文献に先行していない、認めるものと解釈されるべきではない。さらに、記載の公開文献の日付は、実際の公開文献の日付と異なる場合があり、個別に確認が必要であり得る。
【０３１５】
「ｃｏｍｐｒｉｓｅｓ」および「ｃｏｍｐｒｉｓｉｎｇ」という用語は、要素、構成要素またはステップを非排他的な意味合いで指すものとして解釈されるべきであり、記載の要素、構成要素たはステップが明記されていない他の要素、構成要素またはステップと共に存在、利用または結合され得ることを示す。
【０３１６】
詳細な説明において用いられる見出しは、読者の便宜のためのものであり、本開示または特許請求の範囲全体において見受けられる内容を制限するために用いられるべきではない。これらの見出しは、特許請求の範囲または特許請求の範囲の制限の範囲の解釈において用いられるべきではない。
【０３１７】
本明細書中の技術について、特定の実施例を参照して述べてきたが、これらの実施例は本技術の原理および用途を例示したものに過ぎないことが理解されるべきである。いくつかの場合において、用語および記号は、本技術の実施に不要な特定の詳細を示し得る。例えば、「ｆｉｒｓｔ（第１の）」および「ｓｅｃｏｎｄ（第２の）」（など）という用語が用いられるが、他に明記無き限り、これらの用語は任意の順序を示すことを意図しておらず、別個の要素を区別するために用いられる。さらに、本方法におけるプロセスステップについての記載または例示を順序付けて述べる場合があるが、このような順序は不要である。当業者であれば、このような順序が変更可能でありかつ／またはその様態を同時にまたはさらに同期的に行うことが可能であることを認識する。
【０３１８】
よって、本技術の意図および範囲から逸脱することなく、例示的な実施例において多数の変更例が可能であり、また、他の配置構成が考案され得ることが理解されるべきである。
【符号の説明】
【０３１９】
４．６    参照符号のリスト
１０００    患者
１１００    同床者
３０００    患者インターフェース
３１００    シール形成構造
３２００    プレナムチャンバ
３３００    構造
３４００    通気
３４０２    通路
３４０４    壁
３４０６    拡散材
３４０８    ハウジング
３４１０    空気通路
３４１２    隙間
３４１２Ａ    第２の部位
３４１４    表面
３４１６    開口部
３４１８    部位
３４２０    開口部
３４２２    矢印
３４２４    開口部
３４２６    部材
３４２８    壁
３４３０    中央線  
３４３２    中央線
３４３４    支持部
３４３６    横表面
３４３８    溝
３４４０    カバー
３４４２    偏向器
３６００    接続ポート
３７００    前額支持部
４０００    ＲＰＴデバイス
４１７０    空気回路
５０００    加湿器
【図１Ａ】
2019535387.tif 000006
【図１Ｂ】
2019535387.tif 000007
【図１Ｃ】
2019535387.tif 000008
【図２Ａ】
2019535387.tif 000009
【図２Ｂ】
2019535387.tif 000010
【図２Ｃ】
2019535387.tif 000011
【図２Ｄ】
2019535387.tif 000012
【図２Ｅ】
2019535387.tif 000013
【図２Ｆ】
2019535387.tif 000014
【図２Ｇ】
2019535387.tif 000015
【図２Ｈ】
2019535387.tif 000016
【図２Ｉ】
2019535387.tif 000017
【図２Ｊ】
2019535387.tif 000018
【図２Ｋ】
2019535387.tif 000019
【図２Ｌ】
2019535387.tif 000020
【図３Ａ】
2019535387.tif 000021
【図３Ｂ】
2019535387.tif 000022
【図３Ｃ】
2019535387.tif 000023
【図３Ｄ】
2019535387.tif 000024
【図３Ｅ】
2019535387.tif 000025
【図３Ｆ】
2019535387.tif 000026
【図３Ｇ】
2019535387.tif 000027
【図３Ｈ】
2019535387.tif 000028
【図３Ｉ】
2019535387.tif 000029
【図３Ｊ】
2019535387.tif 000030
【図３Ｋ】
2019535387.tif 000031
【図３Ｌ】
2019535387.tif 000032
【図３Ｍ】
2019535387.tif 000033
【図３Ｎ】
2019535387.tif 000034
【図３Ｏ】
2019535387.tif 000035
【図３Ｐ】
2019535387.tif 000036
【図３Ｑ】
2019535387.tif 000037
【図３Ｒ】
2019535387.tif 000038
【図３Ｓ】
2019535387.tif 000039
【図３Ｔ】
2019535387.tif 000040
【図４Ａ】
2019535387.tif 000041
【図４Ｂ】
2019535387.tif 000042
【図４Ｃ】
2019535387.tif 000043
【図４Ｄ】
2019535387.tif 000044
【図４Ｅ】
2019535387.tif 000045
【図４Ｆ】
2019535387.tif 000046
【図４Ｇ】
2019535387.tif 000047
【図４Ｈ】
2019535387.tif 000048
【図４Ｉ】
2019535387.tif 000049
【図４Ｊ】
2019535387.tif 000050
【図４Ｋ】
2019535387.tif 000051
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
患者の睡眠時における患者の呼吸サイクル全体において、使用時において周囲空気圧力を超える約４ｃｍＨ２Ｏ〜約３０ｃｍＨ２Ｏの範囲の治療圧力を維持して、呼吸器疾患または睡眠障害呼吸疾患が改善されるように構成された患者インターフェースシステム用のガス洗い流し通気部であって、
前記ガス洗い流し通気部は、
内部を貫通する１つ以上の通路を含む第１の壁部を含むハウジングであって、前記１つ以上の通路は、前記治療圧力へ晒されるように構成された前記患者インターフェースシステムの一部との流体連通を提供するように構成され、前記１つ以上の通路は、前記第１の壁部の第１の表面上のそれぞれの第１の開口部を各々含み、前記ハウジングは、周囲雰囲気と連通する第２の開口部を少なくとも部分的に規定する、ハウジングと、
前記第１の表面に隣接して、前記ハウジング内に少なくとも部分的に配置された拡散材であって、前記第１の表面に対向する前記拡散材の表面は、前記第１の開口部の全ての間ならびに前記第１の開口部および前記第２の開口部の全ての間に流体連通を提供するように延びる隙間により前記第１の表面から離隔して配置される、拡散材と、
を含み、
前記ハウジングは、周囲雰囲気と連通する第３の開口部をさらに含み、
前記第３の開口部は、それぞれの前記通路の中心軸に沿って突出された何れかの通路の出口の領域と重複せず、前記拡散材の少なくとも一部が各第１の開口部と前記第３の開口部との間にあるように配置され、
前記ハウジングは、前記第１の開口部それぞれに直接向かい合う全領域において前記ハウジングから空気が流出しないように構成され、
前記拡散材と前記第１の壁部の材料とが別の材料である、ガス洗い流し通気部。
【請求項２】
前記第３の開口部は、前記第３の開口部を貫通する中心軸が前記通路のいずれかの中心軸に対して角度を以て設けられるように方向付けられる、請求項１に記載のガス洗い流し通気部。
【請求項３】
前記第３の開口部は、前記患者インターフェースの一部が前記治療圧力に晒されたときに前記第３の開口部を完全に遮断しても前記ガス洗い流し通気部を通過する前記空気流れが実質的に低下しないようなサイズにされる、請求項２に記載のガス洗い流し通気部。
【請求項４】
前記ガス洗い流し通気部を通過する前記空気流れは、３パーセントを超えて低下しない、請求項３に記載のガス洗い流し通気部。
【請求項５】
前記第３の開口部は、複数の第３の開口部のうち１つである、請求項１〜４のいずれか一項に記載のガス洗い流し通気部。
【請求項６】
前記第３の開口部は、除水のために構成される、請求項１〜５のいずれか一項に記載のガス洗い流し通気部。
【請求項７】
前記第２の開口部は、複数の第２の開口部を含む、請求項１〜６のいずれか一項に記載のガス洗い流し通気部。
【請求項８】
前記１つ以上の通路のうち少なくとも１つは、前記患者インターフェースの一部が前記治療圧力に晒されたときに前記各第１の開口部から退出する空気の少なくとも一部が前記拡散材に貫通するようなサイズにされる、請求項１〜７のうちいずれか一項に記載のガス洗い流し通気部。
【請求項９】
前記ガス洗い流し通気部は、前記拡散材を貫通する前記空気の一部が前記拡散材を退出し、前記隙間に再度進入した後前記第２の開口部から流出するように構成される、請求項８に記載のガス洗い流し通気部。
【請求項１０】
前記ガス洗い流し通気部は、前記各第１の開口部から退出する前記空気の一部が前記表面を介して前記拡散材に貫通して前記拡散材から退出するように構成される、請求項８または９に記載のガス洗い流し通気部。
【請求項１１】
前記患者インターフェースの一部が前記治療圧力に晒された結果前記第２の開口部から空気が退出したときに、２８ｄＢ（Ａ）を超えないノイズが生成される、請求項１〜１０のうちいずれか一項に記載のガス洗い流し通気部。
【請求項１２】
前記拡散材は、未圧縮の繊維を含む、請求項１〜１１のうちいずれか一項に記載のガス洗い流し通気部。
【請求項１３】
前記拡散材は、吸湿材料を含む、請求項１〜１１のうちいずれか一項に記載のガス洗い流し通気部。
【請求項１４】
前記吸湿材料は焼結プラスチックである、請求項１３に記載のガス洗い流し通気部。
【請求項１５】
前記拡散材は疎水性材料を含む、請求項１〜１１のうちいずれか一項に記載のガス洗い流し通気部。
【請求項１６】
前記拡散材は、抗菌性を有する、請求項１〜１５のうちいずれか一項に記載のガス洗い流し通気部。
【請求項１７】
前記第１の壁部は、前記ハウジング内に解放不可能な様態で固定される、請求項１〜１６のうちいずれか一項に記載のガス洗い流し通気部。
【請求項１８】
前記隙間は、前記第１の壁部によって前記第１の開口部から前記第２の開口部へ少なくとも部分的に境界付けられる、請求項１〜１７のうちいずれか一項に記載のガス洗い流し通気部。
【請求項１９】
前記隙間は、前記表面によって前記第１の開口部に対向する場所から前記拡散材のうち前記第２の開口部に最も近い一部へ形成される、請求項１８に記載のガス洗い流し通気部。
【請求項２０】
前記隙間は、ラジアル方向にテーパー状にされる、請求項１〜１９のうちいずれか一項に記載のガス洗い流し通気部。
【請求項２１】
前記隙間は、ラジアル方向に外方にテーパーオフされる、請求項２０に記載のガス洗い流し通気部。
【請求項２２】
前記拡散材の表面および前記第１の表面は平行である、請求項１〜２１のうちいずれか一項に記載のガス洗い流し通気部。
【請求項２３】
前記拡散材の表面および前記第１の表面は、相互に傾斜される、請求項１〜２１のうちいずれか一項に記載のガス洗い流し通気部。
【請求項２４】
前記ハウジングの一部は、前記拡散材を交換できるように取り外し可能である、請求項１〜２１のうちいずれか一項に記載のガス洗い流し通気部。
【請求項２５】
前記第２の開口部および前記隙間は、前記通路、前記隙間および前記第２の開口部の前記空気流れ時の圧力降下の大部分が前記通路からの退出前に発生するようなサイズにされる、請求項１〜２４のうちいずれか一項に記載のガス洗い流し通気部。
【請求項２６】
前記ガス洗い流し通気部は、患者インターフェースまたは空気回路と係合するように配置された別個の装置を含む、請求項１〜２５のうちいずれか一項に記載のガス洗い流し通気部。
【請求項２７】
前記第２の開口部は、前記第１の表面に対して垂直な方向において前記第１の表面から離隔して設けられる、請求項１〜２５のうちいずれか一項に記載のガス洗い流し通気部。
【請求項２８】
前記拡散材内に偏向器をさらに含み、前記偏向器は、前記第１の表面に対向する前記拡散材の表面に進入する空気が前記拡散材を直接通じて流動して前記拡散材の反対側から流出する事態を回避するように、構成される、請求項１〜２７のうちいずれか一項に記載のガス洗い流し通気部。
【請求項２９】
患者の呼吸障害の治療のためのシステムであって：
呼吸圧治療装置と、
加湿器と、
空気回路と、
患者インターフェースと、を含み、
前記空気回路および前記患者インターフェースの少なくとも１つは、請求項１〜２８のうちいずれか一項に記載のガス洗い流し通気部を含む、システム。
【国際調査報告】
2019535387.tif 000052
2019535387.tif 000053
2019535387.tif 000054
2019535387.tif 000055
2019535387.tif 000056
2019535387.tif 000057
2019535387.tif 000058